(57)【特許請求の範囲】
【請求項１】
画像形成装置と通信する携帯端末に内蔵されたコンピュータに、
ａ）第１の無線通信方式による第１の無線通信にて、第２の無線通信方式による第２の無線通信を実行するための通信用情報を前記画像形成装置から取得するステップと、
ｂ）前記携帯端末を所持しているユーザが前記画像形成装置の近傍に存在することを確認する確認処理を実行するステップと、
ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、
を実行させるためのプログラムであって、
前記ステップｂ）においては、前記第１の無線通信を用いる第１の経路により得られた情報と、前記第１の無線通信を用いる経路とは異なる第２の経路を用いて得られた情報とが一致するか否かに基づいて、前記確認処理が行われることを特徴とするプログラム。
【請求項２】
画像形成装置と通信する携帯端末に内蔵されたコンピュータに、
ａ）第１の無線通信方式による第１の無線通信にて、第２の無線通信方式による第２の無線通信を実行するための通信用情報を前記画像形成装置から取得するステップと、
ｂ）前記携帯端末を所持しているユーザが前記画像形成装置の近傍に存在することを確認する処理を実行するステップと、
ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、
を実行させるためのプログラムであって、
前記ステップｂ）は、
ｂ−１）前記画像形成装置に表示された二次元バーコードを前記携帯端末の撮像手段によって撮像するステップと、
ｂ−２）前記ステップｂ−１）にて撮像された撮影画像に含まれる二次元バーコードを解析して取得される情報と、前記ステップａ）にて取得された前記通信用情報に含まれる情報とが一致することを条件として、前記ユーザが前記画像形成装置の近傍に存在することを判定するステップと、
を有することを特徴とするプログラム。
【請求項３】
画像形成装置と通信する携帯端末に内蔵されたコンピュータに、
ａ）第１の無線通信方式による第１の無線通信にて、第２の無線通信方式による第２の無線通信を実行するための通信用情報を前記画像形成装置から取得するステップと、
ｂ）前記携帯端末を所持しているユーザが前記画像形成装置の近傍に存在することを確認する処理を実行するステップと、
ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、
を実行させるためのプログラムであって、
前記ステップｂ）は、
ｂ−１）前記画像形成装置に表示された二次元バーコードを前記携帯端末の撮像手段によって撮像するステップと、
ｂ−２）前記第１の無線通信にて、前記画像形成装置の装置識別情報を含む情報を前記画像形成装置から取得するステップと、
ｂ−３）前記ステップｂ−１）にて撮像された撮影画像に含まれる二次元バーコードを解析して取得される情報と、前記ステップｂ−２）にて取得された情報とが一致することを条件として、前記ユーザが前記画像形成装置の近傍に存在することを判定するステップと、
を有することを特徴とするプログラム。
【請求項４】
画像形成装置と通信する携帯端末に内蔵されたコンピュータに、
ａ）第１の無線通信方式による第１の無線通信にて、第２の無線通信方式による第２の無線通信を実行するための通信用情報を前記画像形成装置から取得するステップと、
ｂ）前記携帯端末を所持しているユーザが前記画像形成装置の近傍に存在することを確認する処理を実行するステップと、
ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、
を実行させるためのプログラムであって、
前記ステップｂ）は、
ｂ−１）前記画像形成装置に配置されたＮＦＣタグの情報を前記携帯端末によって読み取って取得するステップと、
ｂ−２）前記ステップｂ−１）にて取得された情報と、前記ステップａ）にて取得された前記通信用情報に含まれる情報とが一致することを条件として、前記ユーザが前記画像形成装置の近傍に存在することを判定するステップと、
を有することを特徴とするプログラム。
【請求項５】
画像形成装置と通信する携帯端末に内蔵されたコンピュータに、
ａ）第１の無線通信方式による第１の無線通信にて、第２の無線通信方式による第２の無線通信を実行するための通信用情報を前記画像形成装置から取得するステップと、
ｂ）前記携帯端末を所持しているユーザが前記画像形成装置の近傍に存在することを確認する処理を実行するステップと、
ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、
を実行させるためのプログラムであって、
前記ステップｂ）は、
ｂ−１）前記画像形成装置に配置されたＮＦＣタグの情報を前記携帯端末によって読み取って取得するステップと、
ｂ−２）前記第１の無線通信にて、前記画像形成装置の装置識別情報を含む情報を前記画像形成装置から取得するステップと、
ｂ−３）前記ステップｂ−１）にて取得された情報と、前記ステップｂ−２）にて取得された情報とが一致することを条件として、前記ユーザが前記画像形成装置の近傍に存在することを判定するステップと、
を有することを特徴とするプログラム。
【請求項６】
請求項２から請求項５のいずれかに記載のプログラムにおいて、
前記通信用情報は、装置識別情報を含み、
前記ステップｂ−２）においては、前記ステップｂ−１）にて取得された装置識別情報と、前記ステップａ）にて取得された装置識別情報とが一致することを条件として、前記ユーザが前記画像形成装置の近傍に存在することが判定されることを特徴とするプログラム。
【請求項７】
請求項６に記載のプログラムにおいて、
前記装置識別情報は、ＭＡＣアドレスを含むことを特徴とするプログラム。
【請求項８】
請求項７に記載のプログラムにおいて、
前記通信用情報は、前記第２の無線通信用のＳＳＩＤおよび前記第２の無線通信用のパスワードを含み、
前記ステップｂ−２）においては、前記ステップｂ−１）にて取得されたＳＳＩＤ、パスワードおよびＭＡＣアドレスと、前記ステップａ）にて取得されたＳＳＩＤ、パスワードおよびＭＡＣアドレスとがそれぞれ一致することを条件として、前記ユーザが前記画像形成装置の近傍に存在することが判定されることを特徴とするプログラム。
【請求項９】
画像形成装置と通信する携帯端末に内蔵されたコンピュータに、
ａ）第１の無線通信方式による第１の無線通信にて、第２の無線通信方式による第２の無線通信を実行するための通信用情報を前記画像形成装置から取得するステップと、
ｂ）前記携帯端末を所持しているユーザが前記画像形成装置の近傍に存在することを確認する処理を実行するステップと、
ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、
を実行させるためのプログラムであって、
前記ステップｂ）は、
ｂ−１）前記ユーザのＩＣカードのカード識別情報であって前記画像形成装置のＩＣカードリーダによって読み取って得られたカード識別情報を、前記第１の無線通信によって前記画像形成装置から受信するステップと、
ｂ−２）前記ステップｂ−１）にて取得されたカード識別情報と、前記携帯端末にて予め登録されている利用可能なＩＣカードのカード識別情報とが一致することを条件として、前記ユーザが前記画像形成装置の近傍に存在することを判定するステップと、
を有することを特徴とするプログラム。
【請求項１０】
請求項１から請求項９のいずれかに記載のプログラムにおいて、
ｄ）前記ステップａ）で取得されたＩＰアドレスで特定される通信先との間で前記第２の無線通信を試行し、当該第２の無線通信の成否に基づき、前記第２の無線通信を実行するための通信用情報の登録処理が完了しているか否かを判定するステップ、
をさらに前記コンピュータに実行させ、
前記ステップｃ）は、前記第２の無線通信を実行するための通信用情報の登録処理が未だ完了していない旨が前記ステップｄ）にて判定されることを条件に、実行されることを特徴とするプログラム。
【請求項１１】
請求項１から請求項１０のいずれかに記載のプログラムにおいて、
前記第１の無線通信は、前記画像形成装置と前記携帯端末とのペアリング処理を伴わずに実行されることを特徴とするプログラム。
【請求項１２】
画像形成装置と、
前記画像形成装置と通信する携帯端末と、
を備える画像形成システムであって、
前記携帯端末は、
第１の無線通信方式による第１の無線通信を実行する第１の無線通信手段と、
第２の無線通信方式による第２の無線通信を実行する第２の無線通信手段と、
前記第２の無線通信を実行するための通信用情報を含む情報を、前記第１の無線通信によって前記画像形成装置から取得する通信制御手段と、
前記携帯端末を所持しているユーザが前記画像形成装置の近傍に存在することを確認する確認処理を実行する確認手段と、
前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、
を有し、
前記確認手段は、前記第１の無線通信を用いる第１の経路により得られた情報と、前記第１の無線通信を用いる経路とは異なる第２の経路を用いて得られた情報とが一致するか否かに基づいて、前記確認処理を行うことを特徴とする画像形成システム。
【請求項１３】
画像形成装置と、
前記画像形成装置と通信する携帯端末と、
を備える画像形成システムであって、
前記携帯端末は、
第１の無線通信方式による第１の無線通信を実行する第１の無線通信手段と、
第２の無線通信方式による第２の無線通信を実行する第２の無線通信手段と、
前記第２の無線通信を実行するための通信用情報を含む情報を、前記第１の無線通信によって前記画像形成装置から取得する通信制御手段と、
前記携帯端末を所持しているユーザが前記画像形成装置の近傍に存在することを確認する確認処理を実行する確認手段と、
前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、
を有し、
前記確認手段は、
前記画像形成装置に表示された二次元バーコードを撮像する撮像手段と、
前記撮像手段によって撮像された撮影画像に含まれる二次元バーコードを解析して取得される情報と、前記第１の無線通信によって前記画像形成装置から取得された情報とが一致することを条件として、前記ユーザが前記画像形成装置の近傍に存在する旨を判定する判定手段と、
を有することを特徴とする画像形成システム。
【請求項１４】
請求項１３に記載の画像形成システムにおいて、
前記通信制御手段は、前記第１の無線通信によって、前記画像形成装置の装置識別情報を含む情報を前記画像形成装置から取得し、
前記判定手段は、前記撮影画像内の前記二次元バーコードを解析して取得された装置識別情報と、前記第１の無線通信によって前記画像形成装置から取得された装置識別情報とが一致することを条件として、前記ユーザが前記画像形成装置の近傍に存在する旨を判定することを特徴とする画像形成システム。
【請求項１５】
請求項１４に記載の画像形成システムにおいて、
前記通信用情報は、前記第２の無線通信用のＳＳＩＤおよび前記第２の無線通信用のパスワードを含み、
前記判定手段は、前記撮影画像内の前記二次元バーコードを解析して取得されたＳＳＩＤ、パスワードおよびＭＡＣアドレスと、前記第１の無線通信によって前記画像形成装置から取得されたＳＳＩＤ、パスワードおよびＭＡＣアドレスとがそれぞれ一致することを条件として、前記ユーザが前記画像形成装置の近傍に存在する旨を判定することを特徴とする画像形成システム。
【請求項１６】
画像形成装置と、
前記画像形成装置と通信する携帯端末と、
を備える画像形成システムであって、
前記携帯端末は、
第１の無線通信方式による第１の無線通信を実行する第１の無線通信手段と、
第２の無線通信方式による第２の無線通信を実行する第２の無線通信手段と、
前記第２の無線通信を実行するための通信用情報を含む情報を、前記第１の無線通信によって前記画像形成装置から取得する通信制御手段と、
前記携帯端末を所持しているユーザが前記画像形成装置の近傍に存在することを確認する確認処理を実行する確認手段と、
前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、
を有し、
前記確認手段は、
前記画像形成装置に配置されたＮＦＣタグの情報を読み取って取得する読取手段と、
前記読取手段によって取得された情報と、前記第１の無線通信によって前記画像形成装置から取得された情報とが一致することを条件として、前記ユーザが前記画像形成装置の近傍に存在する旨を判定する判定手段と、
を有することを特徴とする画像形成システム。
【請求項１７】
請求項１６に記載の画像形成システムにおいて、
前記通信制御手段は、前記第１の無線通信によって、前記画像形成装置の装置識別情報を含む情報を前記画像形成装置から取得し、
前記判定手段は、前記読取手段によって取得された装置識別情報と、前記第１の無線通信によって前記画像形成装置から取得された装置識別情報とが一致することを条件として、前記ユーザが前記画像形成装置の近傍に存在する旨を判定することを特徴とする画像形成システム。
【請求項１８】
請求項１７に記載の画像形成システムにおいて、
前記通信用情報は、前記第２の無線通信用のＳＳＩＤおよび前記第２の無線通信用のパスワードを含み、
前記判定手段は、前記読取手段によって取得されたＳＳＩＤ、パスワードおよびＭＡＣアドレスと、前記第１の無線通信によって前記画像形成装置から取得されたＳＳＩＤ、パスワードおよびＭＡＣアドレスとがそれぞれ一致することを条件として、前記ユーザが前記画像形成装置の近傍に存在する旨を判定することを特徴とする画像形成システム。
【請求項１９】
画像形成装置と、
前記画像形成装置と通信する携帯端末と、
を備える画像形成システムであって、
前記携帯端末は、
第１の無線通信方式による第１の無線通信を実行する第１の無線通信手段と、
第２の無線通信方式による第２の無線通信を実行する第２の無線通信手段と、
前記第２の無線通信を実行するための通信用情報を含む情報を、前記第１の無線通信によって前記画像形成装置から取得する通信制御手段と、
前記携帯端末を所持しているユーザが前記画像形成装置の近傍に存在することを確認する確認処理を実行する確認手段と、
前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、
を有し、
前記第１の無線通信手段は、前記ユーザのＩＣカードのカード識別情報であって前記画像形成装置のＩＣカードリーダによって読み取って得られたカード識別情報を、前記画像形成装置から受信し、
前記確認手段は、
前記第１の無線通信手段による前記第１の無線通信によって取得されたカード識別情報と、前記携帯端末にて予め登録されている利用可能なＩＣカードのカード識別情報とが一致することを条件として、前記ユーザが前記画像形成装置の近傍に存在することを判定する判定手段、
を有することを特徴とする画像形成システム。
【請求項２０】
請求項１２から請求項１９のいずれかに記載の画像形成システムにおいて、
前記通信制御手段は、前記第１の無線通信によって取得されたＩＰアドレスで特定される通信先との間で前記第２の無線通信を試行し、
前記登録制御手段は、
前記第２の無線通信の試行結果に基づき、前記第２の無線通信を実行するための通信用情報の登録処理が完了しているか否かを判定するとともに、当該登録処理が未だ完了していない旨が判定されることを条件に、前記確認手段による前記確認処理を実行して、前記通信用情報を前記第２の無線通信を実行するために前記携帯端末に登録する登録処理の許否を決定することを特徴とする画像形成システム。
【請求項２１】
請求項１２から請求項２０のいずれかに記載の画像形成システムにおいて、
前記第１の無線通信は、前記画像形成装置と前記携帯端末とのペアリング処理を伴わずに実行されることを特徴とする画像形成システム。
【請求項２２】
近距離無線通信を利用して画像形成装置と通信して当該画像形成装置にログインすることが可能な携帯端末に内蔵されたコンピュータに、
ａ）前記携帯端末を所持しているユーザのＩＣカードのカード識別情報を前記携帯端末にて予め登録しておくステップと、
ｂ）前記ステップａ）の後に前記ユーザによる前記画像形成装置へのログイン操作が行われるに際して、前記画像形成装置のＩＣカードリーダによって読み取って得られたＩＣカードのカード識別情報を、前記近距離無線通信によって前記画像形成装置から受信するステップと、
ｃ）前記ステップｂ）にて取得されたカード識別情報と、前記ステップａ）にて前記携帯端末に予め登録されているカード識別情報とが一致することを条件として、前記ユーザが前記画像形成装置の近傍に存在することを判定するステップと、
ｄ）前記ユーザが前記画像形成装置の近傍に存在することが前記ステップｃ）にて判定されることを条件として、前記画像形成装置に対する前記ユーザのログイン情報を前記近距離無線通信で前記画像形成装置に送信するステップと、
を実行させるためのプログラム。
【請求項２３】
請求項２２に記載のプログラムにおいて、
前記ステップｂ）においては、前記ＩＣカードリーダによって読み取って得られた前記カード識別情報が未だ前記画像形成装置に登録されていないと前記画像形成装置によって判定される場合に、当該カード識別情報が前記近距離無線通信によって前記画像形成装置から前記携帯端末に送信されることを特徴とするプログラム。
【請求項２４】
画像形成装置と、
近距離無線通信を利用して前記画像形成装置と通信して当該画像形成装置にログインすることが可能な携帯端末と、
を備える画像形成システムであって、
前記携帯端末は、
前記携帯端末を所持しているユーザのＩＣカードのカード識別情報を前記携帯端末にて予め登録する処理を受け付ける登録制御手段と、
前記ユーザによる前記画像形成装置へのログイン操作が行われるに際して、前記画像形成装置のＩＣカードリーダによって読み取って得られたＩＣカードのカード識別情報を、前記近距離無線通信によって前記画像形成装置から受信する受信手段と、
前記受信手段によって受信されたカード識別情報と前記登録制御手段を用いて予め前記携帯端末に予め登録されているカード識別情報とが一致することを条件として、前記ユーザが前記画像形成装置の近傍に存在することを確認する確認手段と、
前記ユーザが前記画像形成装置の近傍に存在することが確認されることを条件として、前記画像形成装置に対する前記ユーザのログイン情報を前記近距離無線通信で前記画像形成装置に送信する送信手段と、
を有することを特徴とする画像形成システム。
【請求項２５】
請求項２４に記載の画像形成システムにおいて、
前記画像形成装置は、
前記ユーザによる前記画像形成装置へのログイン操作が行われるに際して、前記ＩＣカードリーダによって読み取って得られた前記カード識別情報が既に前記画像形成装置に登録されているか否かを判定する判定手段と、
前記カード識別情報が前記画像形成装置に未だ登録されていない旨が前記判定手段によって判定される場合に、前記ＩＣカードリーダによって読み取って得られた前記カード識別情報を、前記近距離無線通信によって前記画像形成装置から前記携帯端末に送信する送信手段と、
を有することを特徴とする画像形成システム。
【発明の詳細な説明】
【技術分野】
【０００１】
本発明は、画像形成装置（ＭＦＰ（マルチ・ファンクション・ペリフェラル（Multi-Functional Peripheral））等）と携帯端末とを備える画像形成システム、およびそれに関連する技術に関する。
【背景技術】
【０００２】
ＭＦＰと携帯端末との間で無線通信を行う技術が存在する（特許文献１等参照）。
【０００３】
たとえば、特許文献１（その段落００３８等参照）には、近接場型無線通信（ＮＦＣ（Near Field Communication））と無線ＬＡＮによる通信とを利用して、ＭＦＰと携帯端末との間でデータを授受する技術が記載されている。特許文献１に記載の技術においては、まず、ＭＦＰと携帯端末との間でＮＦＣ通信を確立させ、当該ＮＦＣ通信を利用して、無線ＬＡＮ通信用の接続情報（ＳＳＩＤ（Service Set Identifier）等）がＭＦＰから携帯端末へと送信される。そして、当該接続情報を利用してＭＦＰと携帯端末との間で今度は無線ＬＡＮ通信が確立され、比較的高速な無線ＬＡＮ通信によって携帯端末からＭＦＰへの印刷データの送信等が行われる。
【先行技術文献】
【特許文献】
【０００４】
【特許文献１】特開２０１４−１２７１３０号公報
【発明の概要】
【発明が解決しようとする課題】
【０００５】
ところで、画像形成装置と携帯端末との間の通信には、各種の無線通信技術が利用され得る。たとえば、近接場型無線通信（ＮＦＣ（Near Field Communication））に代えて、ブルートゥース通信（Bluetooth（登録商標）規格に基づく通信（ＢＬＥ（Bluetooth Low Energy）を含む））等の近距離無線通信を採用することも考えられる。
【０００６】
しかしながら、ＮＦＣ通信での通信距離は数センチメートル程度であるのに対して、ブルートゥース通信（たとえば、ＢＬＥ（Bluetooth Low Energy（Bluetooth LE））通信等）での通信距離は、比較的大きく、例えば３０メートル程度にも及ぶことがある。携帯端末とＭＦＰとの間でＢＬＥ通信を行う場合には、実際には携帯端末とＭＦＰとは多少遠く離れていることもあり得るので、その弊害が懸念される。
【０００７】
たとえば、ＭＦＰが或る建物内に配置されている場合において、当該或る建物の隣の建物から携帯端末を用いて当該ＭＦＰにアクセスできてしまうことが懸念される。端的に言えば、隣の建物からの不正アクセスが携帯端末を用いて行われる可能性がある。
【０００８】
そこで、本願においては、比較的離れた場所から画像形成装置への不正なアクセスが携帯端末を用いて行われることを回避することが可能な技術を提供することを第１の課題とする。
【０００９】
また、上述のような懸念（すなわち、隣の建物からの不正アクセスに関する懸念）のみならず、次のような懸念も存在する。
【００１０】
たとえば、無線ＬＡＮ通信と近距離無線通信とを併用する場合ではなく、無線ＬＡＮ通信を用いずに近距離無線通信のみを利用する場合（より詳細には、近距離無線通信を利用して携帯端末から画像形成装置にログインする場合）において、次のような問題が生じ得る。
【００１１】
具体的には、携帯端末が実際には画像形成装置から比較的離れた位置に存在するにもかかわらず、仮にＢＬＥ通信で携帯端末から画像形成装置へと無条件にログイン情報を送信してしまうと、携帯端末のユーザが画像形成装置から比較的離れた場所に存在するときであっても、当該ユーザによるログインが許容されてしまう。この場合、画像形成装置は、当該ユーザ（ログインユーザとも称する）とは別のユーザ（画像形成装置の近傍に存在する別ユーザ）による画像形成装置の操作（パネル操作）を当該ログインユーザの操作として誤認識して、当該操作に基づく処理を実行してしまう可能性が有る。端的に言えば、別ユーザのパネル操作がログインユーザのパネル操作として誤認識される可能性がある。
【００１２】
そこで、本願においては、比較的離れた場所に存在する携帯端末を用いた画像形成装置へのログインを防止して、ログインユーザの操作とは別のユーザによる操作が当該ログインユーザの操作として誤認識されることを回避することが可能な技術を提供することを第２の課題とする。
【課題を解決するための手段】
【００１３】
上記第１の課題を解決すべく、請求項１の発明は、画像形成装置と通信する携帯端末に内蔵されたコンピュータに、ａ）第１の無線通信方式による第１の無線通信にて、第２の無線通信方式による第２の無線通信を実行するための通信用情報を前記画像形成装置から取得するステップと、ｂ）前記携帯端末を所持しているユーザが前記画像形成装置の近傍に存在することを確認する確認処理を実行するステップと、ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、を実行させるためのプログラムであって、前記ステップｂ）においては、前記第１の無線通信を用いる第１の経路により得られた情報と、前記第１の無線通信を用いる経路とは異なる第２の経路を用いて得られた情報とが一致するか否かに基づいて、前記確認処理が行われることを特徴とする。
【００１４】
請求項２の発明は、画像形成装置と通信する携帯端末に内蔵されたコンピュータに、ａ）第１の無線通信方式による第１の無線通信にて、第２の無線通信方式による第２の無線通信を実行するための通信用情報を前記画像形成装置から取得するステップと、ｂ）前記携帯端末を所持しているユーザが前記画像形成装置の近傍に存在することを確認する処理を実行するステップと、ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、を実行させるためのプログラムであって、前記ステップｂ）は、ｂ−１）前記画像形成装置に表示された二次元バーコードを前記携帯端末の撮像手段によって撮像するステップと、ｂ−２）前記ステップｂ−１）にて撮像された撮影画像に含まれる二次元バーコードを解析して取得される情報と、前記ステップａ）にて取得された前記通信用情報に含まれる情報とが一致することを条件として、前記ユーザが前記画像形成装置の近傍に存在することを判定するステップと、を有することを特徴とする。
【００１５】
請求項３の発明は、画像形成装置と通信する携帯端末に内蔵されたコンピュータに、ａ）第１の無線通信方式による第１の無線通信にて、第２の無線通信方式による第２の無線通信を実行するための通信用情報を前記画像形成装置から取得するステップと、ｂ）前記携帯端末を所持しているユーザが前記画像形成装置の近傍に存在することを確認する処理を実行するステップと、ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、を実行させるためのプログラムであって、前記ステップｂ）は、ｂ−１）前記画像形成装置に表示された二次元バーコードを前記携帯端末の撮像手段によって撮像するステップと、ｂ−２）前記第１の無線通信にて、前記画像形成装置の装置識別情報を含む情報を前記画像形成装置から取得するステップと、ｂ−３）前記ステップｂ−１）にて撮像された撮影画像に含まれる二次元バーコードを解析して取得される情報と、前記ステップｂ−２）にて取得された情報とが一致することを条件として、前記ユーザが前記画像形成装置の近傍に存在することを判定するステップと、を有することを特徴とする。
【００１６】
請求項４の発明は、画像形成装置と通信する携帯端末に内蔵されたコンピュータに、ａ）第１の無線通信方式による第１の無線通信にて、第２の無線通信方式による第２の無線通信を実行するための通信用情報を前記画像形成装置から取得するステップと、ｂ）前記携帯端末を所持しているユーザが前記画像形成装置の近傍に存在することを確認する処理を実行するステップと、ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、を実行させるためのプログラムであって、前記ステップｂ）は、ｂ−１）前記画像形成装置に配置されたＮＦＣタグの情報を前記携帯端末によって読み取って取得するステップと、ｂ−２）前記ステップｂ−１）にて取得された情報と、前記ステップａ）にて取得された前記通信用情報に含まれる情報とが一致することを条件として、前記ユーザが前記画像形成装置の近傍に存在することを判定するステップと、を有することを特徴とする。
【００１７】
請求項５の発明は、画像形成装置と通信する携帯端末に内蔵されたコンピュータに、ａ）第１の無線通信方式による第１の無線通信にて、第２の無線通信方式による第２の無線通信を実行するための通信用情報を前記画像形成装置から取得するステップと、ｂ）前記携帯端末を所持しているユーザが前記画像形成装置の近傍に存在することを確認する処理を実行するステップと、ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、を実行させるためのプログラムであって、前記ステップｂ）は、ｂ−１）前記画像形成装置に配置されたＮＦＣタグの情報を前記携帯端末によって読み取って取得するステップと、ｂ−２）前記第１の無線通信にて、前記画像形成装置の装置識別情報を含む情報を前記画像形成装置から取得するステップと、ｂ−３）前記ステップｂ−１）にて取得された情報と、前記ステップｂ−２）にて取得された情報とが一致することを条件として、前記ユーザが前記画像形成装置の近傍に存在することを判定するステップと、を有することを特徴とする。
【００１８】
請求項６の発明は、請求項２から請求項５のいずれかの発明に係るプログラムにおいて、前記通信用情報は、装置識別情報を含み、前記ステップｂ−２）においては、前記ステップｂ−１）にて取得された装置識別情報と、前記ステップａ）にて取得された装置識別情報とが一致することを条件として、前記ユーザが前記画像形成装置の近傍に存在することが判定されることを特徴とする。
【００１９】
請求項７の発明は、請求項６の発明に係るプログラムにおいて、前記装置識別情報は、ＭＡＣアドレスを含むことを特徴とする。
【００２０】
請求項８の発明は、請求項７の発明に係るプログラムにおいて、前記通信用情報は、前記第２の無線通信用のＳＳＩＤおよび前記第２の無線通信用のパスワードを含み、前記ステップｂ−２）においては、前記ステップｂ−１）にて取得されたＳＳＩＤ、パスワードおよびＭＡＣアドレスと、前記ステップａ）にて取得されたＳＳＩＤ、パスワードおよびＭＡＣアドレスとがそれぞれ一致することを条件として、前記ユーザが前記画像形成装置の近傍に存在することが判定されることを特徴とする。
【００２１】
請求項９の発明は、画像形成装置と通信する携帯端末に内蔵されたコンピュータに、ａ）第１の無線通信方式による第１の無線通信にて、第２の無線通信方式による第２の無線通信を実行するための通信用情報を前記画像形成装置から取得するステップと、ｂ）前記携帯端末を所持しているユーザが前記画像形成装置の近傍に存在することを確認する処理を実行するステップと、ｃ）前記ユーザが前記画像形成装置の近傍に存在することが前記ステップｂ）にて確認されることを条件として、前記画像形成装置との前記第２の無線通信向けの通信用情報であって前記ステップａ）にて取得された通信用情報を、前記第２の無線通信を実行するために前記携帯端末に登録する登録処理を許可するステップと、を実行させるためのプログラムであって、前記ステップｂ）は、ｂ−１）前記ユーザのＩＣカードのカード識別情報であって前記画像形成装置のＩＣカードリーダによって読み取って得られたカード識別情報を、前記第１の無線通信によって前記画像形成装置から受信するステップと、ｂ−２）前記ステップｂ−１）にて取得されたカード識別情報と、前記携帯端末にて予め登録されている利用可能なＩＣカードのカード識別情報とが一致することを条件として、前記ユーザが前記画像形成装置の近傍に存在することを判定するステップと、を有することを特徴とする。
【００２２】
請求項１０の発明は、請求項１から請求項９のいずれかの発明に係るプログラムにおいて、ｄ）前記ステップａ）で取得されたＩＰアドレスで特定される通信先との間で前記第２の無線通信を試行し、当該第２の無線通信の成否に基づき、前記第２の無線通信を実行するための通信用情報の登録処理が完了しているか否かを判定するステップ、をさらに前記コンピュータに実行させ、前記ステップｃ）は、前記第２の無線通信を実行するための通信用情報の登録処理が未だ完了していない旨が前記ステップｄ）にて判定されることを条件に、実行されることを特徴とする。
【００２３】
請求項１１の発明は、請求項１から請求項１０のいずれかの発明に係るプログラムにおいて、前記第１の無線通信は、前記画像形成装置と前記携帯端末とのペアリング処理を伴わずに実行されることを特徴とする。
【００２４】
上記第１の課題を解決すべく、請求項１２の発明は、画像形成装置と、前記画像形成装置と通信する携帯端末と、を備える画像形成システムであって、前記携帯端末は、第１の無線通信方式による第１の無線通信を実行する第１の無線通信手段と、第２の無線通信方式による第２の無線通信を実行する第２の無線通信手段と、前記第２の無線通信を実行するための通信用情報を含む情報を、前記第１の無線通信によって前記画像形成装置から取得する通信制御手段と、前記携帯端末を所持しているユーザが前記画像形成装置の近傍に存在することを確認する確認処理を実行する確認手段と、前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、を有し、前記確認手段は、前記第１の無線通信を用いる第１の経路により得られた情報と、前記第１の無線通信を用いる経路とは異なる第２の経路を用いて得られた情報とが一致するか否かに基づいて、前記確認処理を行うことを特徴とする。
【００２５】
請求項１３の発明は、画像形成装置と、前記画像形成装置と通信する携帯端末と、を備える画像形成システムであって、前記携帯端末は、第１の無線通信方式による第１の無線通信を実行する第１の無線通信手段と、第２の無線通信方式による第２の無線通信を実行する第２の無線通信手段と、前記第２の無線通信を実行するための通信用情報を含む情報を、前記第１の無線通信によって前記画像形成装置から取得する通信制御手段と、前記携帯端末を所持しているユーザが前記画像形成装置の近傍に存在することを確認する確認処理を実行する確認手段と、前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、を有し、前記確認手段は、前記画像形成装置に表示された二次元バーコードを撮像する撮像手段と、前記撮像手段によって撮像された撮影画像に含まれる二次元バーコードを解析して取得される情報と、前記第１の無線通信によって前記画像形成装置から取得された情報とが一致することを条件として、前記ユーザが前記画像形成装置の近傍に存在する旨を判定する判定手段と、を有することを特徴とする。
【００２６】
請求項１４の発明は、請求項１３の発明に係る画像形成システムにおいて、前記通信制御手段は、前記第１の無線通信によって、前記画像形成装置の装置識別情報を含む情報を前記画像形成装置から取得し、前記判定手段は、前記撮影画像内の前記二次元バーコードを解析して取得された装置識別情報と、前記第１の無線通信によって前記画像形成装置から取得された装置識別情報とが一致することを条件として、前記ユーザが前記画像形成装置の近傍に存在する旨を判定することを特徴とする。
【００２７】
請求項１５の発明は、請求項１４の発明に係る画像形成システムにおいて、前記通信用情報は、前記第２の無線通信用のＳＳＩＤおよび前記第２の無線通信用のパスワードを含み、前記判定手段は、前記撮影画像内の前記二次元バーコードを解析して取得されたＳＳＩＤ、パスワードおよびＭＡＣアドレスと、前記第１の無線通信によって前記画像形成装置から取得されたＳＳＩＤ、パスワードおよびＭＡＣアドレスとがそれぞれ一致することを条件として、前記ユーザが前記画像形成装置の近傍に存在する旨を判定することを特徴とする。
【００２８】
請求項１６の発明は、画像形成装置と、前記画像形成装置と通信する携帯端末と、を備える画像形成システムであって、前記携帯端末は、第１の無線通信方式による第１の無線通信を実行する第１の無線通信手段と、第２の無線通信方式による第２の無線通信を実行する第２の無線通信手段と、前記第２の無線通信を実行するための通信用情報を含む情報を、前記第１の無線通信によって前記画像形成装置から取得する通信制御手段と、前記携帯端末を所持しているユーザが前記画像形成装置の近傍に存在することを確認する確認処理を実行する確認手段と、前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、を有し、前記確認手段は、前記画像形成装置に配置されたＮＦＣタグの情報を読み取って取得する読取手段と、前記読取手段によって取得された情報と、前記第１の無線通信によって前記画像形成装置から取得された情報とが一致することを条件として、前記ユーザが前記画像形成装置の近傍に存在する旨を判定する判定手段と、を有することを特徴とする。
【００２９】
請求項１７の発明は、請求項１６の発明に係る画像形成システムにおいて、前記通信制御手段は、前記第１の無線通信によって、前記画像形成装置の装置識別情報を含む情報を前記画像形成装置から取得し、前記判定手段は、前記読取手段によって取得された装置識別情報と、前記第１の無線通信によって前記画像形成装置から取得された装置識別情報とが一致することを条件として、前記ユーザが前記画像形成装置の近傍に存在する旨を判定することを特徴とする。
【００３０】
請求項１８の発明は、請求項１７の発明に係る画像形成システムにおいて、前記通信用情報は、前記第２の無線通信用のＳＳＩＤおよび前記第２の無線通信用のパスワードを含み、前記判定手段は、前記読取手段によって取得されたＳＳＩＤ、パスワードおよびＭＡＣアドレスと、前記第１の無線通信によって前記画像形成装置から取得されたＳＳＩＤ、パスワードおよびＭＡＣアドレスとがそれぞれ一致することを条件として、前記ユーザが前記画像形成装置の近傍に存在する旨を判定することを特徴とする。
【００３１】
請求項１９の発明は、画像形成装置と、前記画像形成装置と通信する携帯端末と、を備える画像形成システムであって、前記携帯端末は、第１の無線通信方式による第１の無線通信を実行する第１の無線通信手段と、第２の無線通信方式による第２の無線通信を実行する第２の無線通信手段と、前記第２の無線通信を実行するための通信用情報を含む情報を、前記第１の無線通信によって前記画像形成装置から取得する通信制御手段と、前記携帯端末を所持しているユーザが前記画像形成装置の近傍に存在することを確認する確認処理を実行する確認手段と、前記ユーザが前記画像形成装置の近傍に存在することが前記確認手段によって確認されることを条件として、前記画像形成装置との前記第２の無線通信向けの前記通信用情報を、前記第２の無線通信を実行するために前記携帯端末に登録する登録処理を許可する登録制御手段と、を有し、前記第１の無線通信手段は、前記ユーザのＩＣカードのカード識別情報であって前記画像形成装置のＩＣカードリーダによって読み取って得られたカード識別情報を、前記画像形成装置から受信し、前記確認手段は、前記第１の無線通信手段による前記第１の無線通信によって取得されたカード識別情報と、前記携帯端末にて予め登録されている利用可能なＩＣカードのカード識別情報とが一致することを条件として、前記ユーザが前記画像形成装置の近傍に存在することを判定する判定手段、を有することを特徴とする。
【００３２】
請求項２０の発明は、請求項１２から請求項１９のいずれかの発明に係る画像形成システムにおいて、前記通信制御手段は、前記第１の無線通信によって取得されたＩＰアドレスで特定される通信先との間で前記第２の無線通信を試行し、前記登録制御手段は、前記第２の無線通信の試行結果に基づき、前記第２の無線通信を実行するための通信用情報の登録処理が完了しているか否かを判定するとともに、当該登録処理が未だ完了していない旨が判定されることを条件に、前記確認手段による前記確認処理を実行して、前記通信用情報を前記第２の無線通信を実行するために前記携帯端末に登録する登録処理の許否を決定することを特徴とする。
【００３３】
請求項２１の発明は、請求項１２から請求項２０のいずれかの発明に係る画像形成システムにおいて、前記第１の無線通信は、前記画像形成装置と前記携帯端末とのペアリング処理を伴わずに実行されることを特徴とする。
【００３４】
上記第２の課題を解決すべく、請求項２２の発明は、近距離無線通信を利用して画像形成装置と通信して当該画像形成装置にログインすることが可能な携帯端末に内蔵されたコンピュータに、ａ）前記携帯端末を所持しているユーザのＩＣカードのカード識別情報を前記携帯端末にて予め登録しておくステップと、ｂ）前記ステップａ）の後に前記ユーザによる前記画像形成装置へのログイン操作が行われるに際して、前記画像形成装置のＩＣカードリーダによって読み取って得られたＩＣカードのカード識別情報を、前記近距離無線通信によって前記画像形成装置から受信するステップと、ｃ）前記ステップｂ）にて取得されたカード識別情報と、前記ステップａ）にて前記携帯端末に予め登録されているカード識別情報とが一致することを条件として、前記ユーザが前記画像形成装置の近傍に存在することを判定するステップと、ｄ）前記ユーザが前記画像形成装置の近傍に存在することが前記ステップｃ）にて判定されることを条件として、前記画像形成装置に対する前記ユーザのログイン情報を前記近距離無線通信で前記画像形成装置に送信するステップと、を実行させるためのプログラムであることを特徴とする。
【００３５】
請求項２３の発明は、請求項２２の発明に係るプログラムにおいて、前記ステップｂ）においては、前記ＩＣカードリーダによって読み取って得られた前記カード識別情報が未だ前記画像形成装置に登録されていないと前記画像形成装置によって判定される場合に、当該カード識別情報が前記近距離無線通信によって前記画像形成装置から前記携帯端末に送信されることを特徴とする。
【００３６】
上記第２の課題を解決すべく、請求項２４の発明は、画像形成装置と、近距離無線通信を利用して前記画像形成装置と通信して当該画像形成装置にログインすることが可能な携帯端末と、を備える画像形成システムであって、前記携帯端末は、前記携帯端末を所持しているユーザのＩＣカードのカード識別情報を前記携帯端末にて予め登録する処理を受け付ける登録制御手段と、前記ユーザによる前記画像形成装置へのログイン操作が行われるに際して、前記画像形成装置のＩＣカードリーダによって読み取って得られたＩＣカードのカード識別情報を、前記近距離無線通信によって前記画像形成装置から受信する受信手段と、前記受信手段によって受信されたカード識別情報と前記登録制御手段を用いて予め前記携帯端末に予め登録されているカード識別情報とが一致することを条件として、前記ユーザが前記画像形成装置の近傍に存在することを確認する確認手段と、前記ユーザが前記画像形成装置の近傍に存在することが確認されることを条件として、前記画像形成装置に対する前記ユーザのログイン情報を前記近距離無線通信で前記画像形成装置に送信する送信手段と、を有することを特徴とする。
【００３７】
請求項２５の発明は、請求項２４の発明に係る画像形成システムにおいて、前記画像形成装置は、前記ユーザによる前記画像形成装置へのログイン操作が行われるに際して、前記ＩＣカードリーダによって読み取って得られた前記カード識別情報が既に前記画像形成装置に登録されているか否かを判定する判定手段と、前記カード識別情報が前記画像形成装置に未だ登録されていない旨が前記判定手段によって判定される場合に、前記ＩＣカードリーダによって読み取って得られた前記カード識別情報を、前記近距離無線通信によって前記画像形成装置から前記携帯端末に送信する送信手段と、を有することを特徴とする。
【発明の効果】
【００３８】
請求項１から請求項２１に記載の発明によれば、比較的離れた場所から画像形成装置への不正なアクセスが携帯端末を用いて行われることを回避することが可能である。
【００３９】
また、請求項２２から請求項２５に記載の発明によれば、比較的離れた場所に存在する携帯端末を用いた画像形成装置へのログインを防止して、ログインユーザの操作とは別のユーザによる操作が当該ログインユーザの操作として誤認識されることを回避することが可能である。
【図面の簡単な説明】
【００４０】
【図１】第１実施形態に係る画像形成システムを示す図である。
【図２】ＭＦＰ（画像形成装置）の概略構成を示す機能ブロック図である。
【図３】携帯端末の概略構成を示す機能ブロック図である。
【図４】携帯端末（アプリケーション）の動作を示すフローチャートである。
【図５】本システムにおける各装置の動作を示すシーケンス図である。
【図６】メインメニュー画面を示す図である。
【図７】装置登録用の画面を示す図である。
【図８】装置登録用の画面を示す図である。
【図９】ダイアログ画面を示す図である。
【図１０】ダイアログ画面を示す図である。
【図１１】二次元バーコードがＭＦＰに表示されている様子を示す図である。
【図１２】プロファイル登録画面を示す図である。
【図１３】第２実施形態に係るＭＦＰの概略構成を示す機能ブロック図である。
【図１４】第２実施形態に係る携帯端末（アプリケーション）の動作を示すフローチャートである。
【図１５】第２実施形態に係るシステムにおける各装置の動作を示すシーケンス図である。
【図１６】第３実施形態に係るＭＦＰの概略構成を示す機能ブロック図である。
【図１７】第３実施形態に係る携帯端末（アプリケーション）の動作を示すフローチャートである。
【図１８】第３実施形態に係るシステムにおける各装置の動作を示すシーケンス図である。
【図１９】第４実施形態に係るＭＦＰの概略構成を示す機能ブロック図である。
【図２０】第４実施形態に係る携帯端末（アプリケーション）の動作を示すフローチャートである。
【図２１】第４実施形態に係るシステムにおける各装置の動作を示すシーケンス図である。
【図２２】ダイアログ画面を示す図である。
【図２３】登録済み装置一覧画面を示す図である。
【図２４】ＢＬＥ関連情報の登録処理を示すフローチャートである。
【発明を実施するための形態】
【００４１】
以下、本発明の実施形態を図面に基づいて説明する。
【００４２】
＜１．第１実施形態＞
＜１−１．構成概要＞
図１は、第１実施形態に係る画像形成システム１（１Ａとも称する）を示す図である。図１に示すように、画像形成システム１（１Ａ）は、ＭＦＰ（画像形成装置）１０（１０Ａ）と携帯端末５０（５０Ａ）とを備える。
【００４３】
ＭＦＰ１０と携帯端末５０とは、各種の無線通信技術を用いて互いに無線接続される。たとえば、ＭＦＰ１０と携帯端末との間の通信には、近距離無線通信および無線ＬＡＮ（IEEE 802.11等）による通信が利用され得る。この実施形態では、近距離無線通信として、ブルートゥース（Bluetooth）（登録商標）方式による通信（ブルートゥース通信）が用いられる。より詳細には、ブルートゥース通信として、ＢＬＥ（Bluetooth Low Energy）方式の通信（ＢＬＥ通信とも称する）が採用される。なお、画像形成システム１は、通信システムとも称される。
【００４４】
携帯端末５０（詳細には、当該携帯端末５０にインストールされたアプリケーション１２０（図３参照））は、まず、ＭＦＰ１０との間でＢＬＥ通信を実行する。このＢＬＥ通信では、無線ＬＡＮ通信（ＷｉＦｉ通信等）を行うための通信用情報（ＩＰアドレス、ＳＳＩＤ（Service Set Identifier）、パスワード等）が取得される。その後、携帯端末５０は、この通信用情報を用いることによって、無線ＬＡＮ通信を行うことが可能である。なお、当該通信用情報は、無線ＬＡＮ通信接続を確立するための接続用情報とも称される。
【００４５】
しかしながら、仮に、無線ＬＡＮ用の当該通信用情報をＢＬＥ通信で受信した直後に、当該通信用情報を携帯端末５０にて直ちに登録する場合には、次のような問題が生じる。
【００４６】
具体的には、上述のように、ブルートゥース通信（ＢＬＥ通信等）の通信距離は例えば３０メートル程度にも及ぶことがあるため、携帯端末５０とＭＦＰ１０との両者が互いに多少遠く離れている場合でも、当該両者間でＢＬＥ通信を行うことができることがある。この場合、たとえば、ＭＦＰが配置されている建物の隣の建物から携帯端末を用いて当該ＭＦＰにアクセスできてしまうことが懸念される。端的に言えば、隣の建物からの不正なアクセスが携帯端末５０を用いて行われることが懸念される。
【００４７】
そこで、この第１実施形態では、後述するように、ＭＦＰ１０のタッチパネル２５に表示された二次元バーコードを、携帯端末５０の撮像部５７を用いて撮像すること等によって、携帯端末５０のユーザがＭＦＰ１０の近傍に存在することを確認する。そして、当該ユーザがＭＦＰ１０の近傍に存在することが確認されることを条件として、ＭＦＰ１０との無線ＬＡＮ通信での通信用情報であってＢＬＥ通信にて取得された通信用情報を携帯端末５０に登録する登録処理を許可する。
【００４８】
これによれば、携帯端末を用いて比較的離れた場所から画像形成装置への不正なアクセスが行われることを回避することが可能である。以下では、このような態様についてさらに詳細に説明する。
【００４９】
＜１−２．画像形成装置の構成＞
図２は、画像形成装置１０の機能ブロックを示す図である。ここでは、画像形成装置１０として、ＭＦＰ（マルチ・ファンクション・ペリフェラル（Multi-Functional Peripheral））を例示する。図２においては、ＭＦＰ１０の機能ブロックが示されている。なお、ＭＦＰ１０は、画像処理装置などとも表現される。
【００５０】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００５１】
画像読取部２は、ＭＦＰ１０の所定の位置に載置された原稿を光学的に読み取って（すなわちスキャンして）、当該原稿の画像データ（原稿画像ないしスキャン画像とも称する）を生成する（画像を形成する）処理部である。この画像読取部２は、スキャン部であるとも称される。
【００５２】
印刷出力部３は、印刷対象に関するデータに基づいて紙などの各種の媒体に画像を印刷出力する（画像を形成する）出力部である。
【００５３】
通信部４は、公衆回線等を介したファクシミリ通信を行うことが可能な処理部である。さらに、通信部４は、各種の無線通信（ブルートゥース方式による無線通信等を含む）を行うことも可能である。具体的には、通信部４は、無線ＬＡＮ（IEEE 802.11等）による無線通信を行う無線ＬＡＮ通信部４ａと、ブルートゥース方式による無線通信を行う近距離無線通信部４ｂとを備える。ＭＦＰ１０には、近距離無線通信部４ｂの一部または全部として機能する通信チップ４２（近距離無線通信用チップとも称される）が内蔵されている（図１も参照）。通信チップ４２は、アドバタイジングデータ（Advertising Data）をブロードキャスト送信することが可能である。アドバタイジングデータには、ＭＦＰ１０を識別する識別子（装置識別情報）（たとえば、ＭＦＰ１０のＭＡＣアドレス（Media Access Control address等）が含まれている。当該装置識別情報は、装置を一意に特定（識別）するための情報である、とも表現される。
【００５４】
格納部５は、ハードディスクドライブ（ＨＤＤ）等の記憶装置で構成される。
【００５５】
操作部６は、ＭＦＰ１０に対する操作入力を受け付ける操作入力部６ａと、各種情報の表示出力を行う表示部６ｂとを備えている。
【００５６】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者からの各種の操作入力を受け付けることが可能である。
【００５７】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク等を経由してダウンロードされてＭＦＰ１０にインストールされるようにしてもよい。
【００５８】
具体的には、図２に示すように、コントローラ９は、上記のプログラムの実行により、通信制御部１１と入力制御部１２と表示制御部１３と動作制御部１４とを含む各種の処理部を実現する。
【００５９】
通信制御部１１は、他の装置（携帯端末５０等）との間の通信動作を通信部４等と協働して制御する処理部である。通信制御部１１は、各種データの送信動作を制御する送信制御部と各種データの受信動作を制御する受信制御部とを有する。
【００６０】
入力制御部１２は、操作入力部６ａ（タッチパネル２５等）に対する操作入力動作を制御する制御部である。たとえば、入力制御部１２は、タッチパネル２５に表示された操作画面に対する操作入力（ユーザからの指定入力等）を受け付ける動作を制御する。
【００６１】
表示制御部１３は、表示部６ｂ（タッチパネル２５等）における表示動作を制御する処理部である。表示制御部１３は、ＭＦＰ１０を操作するための操作画面（遠隔操作画面）２００等をタッチパネル２５に表示させる。
【００６２】
動作制御部１４は、各種の動作（印刷出力動作、スキャン動作等）を制御する処理部である。
【００６３】
＜１−３．携帯端末の構成＞
次に携帯端末５０の構成について説明する。
【００６４】
携帯端末５０は、ＭＦＰ１０（画像形成装置）との連携動作を行うことが可能な装置である。
【００６５】
具体的には、携帯端末５０は、ＭＦＰ１０との間での通信（近距離無線通信および無線ＬＡＮ通信等）が可能な情報入出力端末装置（情報端末）である。ここでは、携帯端末５０として、タブレット型端末を例示する。ただし、これに限定されず、携帯端末５０は、スマートフォン等であってもよい。
【００６６】
図３は、携帯端末５０の概略構成を示す機能ブロック図である。
【００６７】
携帯端末５０は、図３の機能ブロック図に示すように、通信部５４、格納部５５、操作部５６、撮像部５７およびコントローラ５９等を備えており、これらの各部を複合的に動作させることによって、各種の機能を実現する。
【００６８】
通信部５４は、各種の無線通信（ブルートゥース規格に基づく無線通信等を含む）を行うことが可能である。具体的には、通信部５４は、無線ＬＡＮ（IEEE 802.11等）による無線通信を行う無線ＬＡＮ通信部５４ａと、ブルートゥースによる無線通信（より詳細には、ＢＬＥ通信等）を行う近距離無線通信部５４ｂとを備える。また、各通信部５４ａ，５４ｂは、それぞれ、送信部および受信部を備える。
【００６９】
近距離無線通信部５４ｂは、ＭＦＰ１０に内蔵された通信チップ４２からブロードキャスト送信されてくるアドバタイジングデータ（Advertising Data）を受信する。
【００７０】
また、近距離無線通信部５４ｂは、アドバタイジングデータ等に基づいて特定された通信対象装置との間で近距離無線通信（ブルートゥース通信等）を実行する。たとえば、この近距離無線通信においては、無線ＬＡＮ通信用の情報等が取得され、当該取得された情報に基づいて装置登録処理（無線ＬＡＮ通信用情報の登録処理）（後述）が実行され得る。なお、近距離無線通信にて取得された情報に基づく当該装置登録処理は、当該情報の取得後において、無条件に（直ちに）行われるのではなく、携帯端末５０のユーザがＭＦＰ１０の近傍に存在することが確認されることを条件として行われる。
【００７１】
無線ＬＡＮ通信部５４ａは、近距離無線通信部５４ｂによって取得された情報（通信対象装置のＩＰアドレス、アクセスポイントに関するＳＳＩＤ等）を用いて、当該通信対象装置との間で無線ＬＡＮによる無線通信（詳細には、アクセスポイントを利用する無線ＬＡＮ通信）を行うことが可能である。ただし、携帯端末５０による無線ＬＡＮ通信は、上述の装置登録処理（後述）後において、登録済みの装置との間でのみ実行され得る。
【００７２】
格納部５５は、不揮発性の半導体メモリ等の記憶装置で構成される。
【００７３】
操作部５６は、携帯端末５０に対する操作入力を受け付ける操作入力部５６ａと、各種情報の表示出力を行う表示部５６ｂとを備えている。この携帯端末５０においては、液晶表示パネルに各種センサ等が埋め込まれて構成されたタッチパネル７５（図１参照）が設けられている。このタッチパネル７５は、操作入力部５６ａの一部としても機能するとともに、表示部５６ｂの一部としても機能する。タッチパネル７５は、各種の操作画面（表示画面））等を表示し、当該操作画面に対する操作入力等を受け付ける。
【００７４】
撮像部５７は、被写体を撮像するための撮像素子（ＣＣＤ等）および撮像光学系等を有して構成される。撮像部５７は、たとえば、タッチパネル２５に表示された二次元バーコード（後述）等を撮像する。
【００７５】
図３のコントローラ５９は、携帯端末５０に内蔵され、携帯端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、格納部５５（不揮発性の半導体メモリ等）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されて携帯端末５０にインストールされるようにしてもよい。あるいは、当該プログラムは、ネットワーク等を経由してダウンロードされて携帯端末５０にインストールされるようにしてもよい。
【００７６】
携帯端末５０には、所定のオペレーティングシステム（ＯＳ）１１０（図３参照）がインストールされているとともに、当該ＯＳ１１０上で動作するアプリケーションプログラム１２０（単に、アプリケーションとも称する）もインストールされている。たとえば、各種の電子文書をＭＦＰ１０にて印刷させるためのアプリケーション（「印刷用アプリケーション」とも称する）等がインストールされている。
【００７７】
具体的には、コントローラ５９は、上記ＯＳ１１０上でアプリケーション１２０を実行することにより、通信制御部６１と入力制御部６２と表示制御部６３と確認部６４と登録制御部６５と認識部６７とを含む各種の処理部を実現する。
【００７８】
通信制御部６１は、通信部５４等と協働して、ＭＦＰ１０等との通信動作を制御する処理部である。
【００７９】
入力制御部６２は、操作入力部５６ａ（タッチパネル７５等）に対する操作入力動作を制御する制御部である。
【００８０】
表示制御部６３は、表示部５６ｂ（タッチパネル７５等）における表示動作を制御する処理部である。表示制御部６３は、たとえば、各種の表示画面（２０１，３０１等）（後述）の表示動作等を制御する。
【００８１】
認識部６７は、二次元バーコード認識処理（撮像部５７によって撮像された撮影画像に含まれる二次元バーコード（ＱＲコード（登録商標）等）を認識する処理）を実行する処理部である。
【００８２】
確認部６４は、携帯端末５０を所持しているユーザがＭＦＰ１０の近傍に存在することを確認するための処理を制御する処理部である。この実施形態では、確認部６４は、認識部６７等と協働して、ユーザがＭＦＰ１０の近傍に存在することを確認する。
【００８３】
登録制御部６５は、各種の通信（特に無線ＬＡＮ通信）を行うためにＭＦＰ１０の通信用情報を携帯端末５０（ＯＳ１１０および／またはアプリケーション１２０）に登録する登録処理を実行する処理部である。登録制御部６５は、たとえば、後述するように、携帯端末５０のユーザがＭＦＰ１０の近傍に存在することが確認部６４によって確認されることを条件として、当該登録処理を実行する。
【００８４】
＜１−４．動作＞
この第１実施形態においては、アプリケーション１２０で利用される装置（画像形成装置）をアプリケーション１２０に登録する機能（装置登録機能）に関する動作について主に説明する。図４は、携帯端末５０のアプリケーション１２０の動作を示すフローチャートであり、図５は、本システム１における各装置の動作を示すシーケンス図である。これらの図を参照しながら、本システム１における動作（特に、装置登録機能に関する動作）について説明する。
【００８５】
携帯端末５０においてユーザ操作に応じてアプリケーション１２０が携帯端末５０にて起動されると、図６に示すようなメインメニュー画面２０１がタッチパネル７５に表示される。
【００８６】
メインメニュー画面２０１は、複数の選択肢（「装置登録（装置追加）」２１１、「ＭＦＰパネルログイン」２１２、「印刷」２１３、「スキャン」２１４、「設定」２１５等）を有している。
【００８７】
これらの選択肢のうち、「装置登録」が選択されると、ユーザが利用したい装置（画像形成装置）を本アプリケーション１２０に登録する機能（装置登録機能）に関する動作が開始される。以下では、このような動作について説明する。
【００８８】
具体的には、携帯端末５０のユーザがメインメニュー画面２０１で選択肢「装置登録」を選択すると、携帯端末５０は、画面３０１（図７参照）をタッチパネル７５に表示する。画面３０１内には、装置登録手法に関する複数の選択肢３２１〜３２４（「自動」、「手動」、「ＱＲ」、「ＢＬＥ」）が表示されている。さらに、ユーザが、当該画面３０１内のＢＬＥボタン３２４を押下することによって、「ＢＬＥを利用した装置登録処理」を選択すると、携帯端末５０は、まずＢＬＥ通信を開始する。
【００８９】
具体的には、携帯端末５０は、その周辺のＭＦＰ１０からのアドバタイジングデータを検出する（図５の冒頭部分のステップＳ１参照）。なお、このとき、画面３０１のメッセージ欄３１１には、たとえば「検索中...」の文言が表示される（図７参照）。
【００９０】
そして、携帯端末５０は、アドバタイジングデータの発信元装置を特定するとともに、当該発信元装置として特定されたＭＦＰ１０との間でＢＬＥ通信を実行する。詳細には、携帯端末５０は、ＭＦＰ１０に対して当該ＭＦＰ１０の通信用情報の送信要求を送信し（図５のステップＳ３参照）、ＭＦＰ１０は、当該送信要求に応答して、ＭＦＰ１０の通信用情報を携帯端末５０に送信する（図５のステップＳ４参照）。携帯端末５０は、当該通信用情報等をＭＦＰ１０から受信して取得する。当該通信用情報には、たとえば、ＭＦＰ１０の装置識別情報（ＭＡＣアドレス等）、および当該ＭＦＰ１０の無線ＬＡＮ通信用の情報（ＳＳＩＤ、パスワード、ＩＰアドレス）などが含まれる。なお、このＢＬＥ通信（ブルートゥース通信）では、ＭＦＰ１０と携帯端末５０との間のペアリング処理（特に、ユーザ確認を伴うペアリング処理（「Numeric Comparison」方式あるいは「Passkey Entry」方式等によるペアリング処理））が実行されることなく、データの送受信が行われる。
【００９１】
つぎに、携帯端末５０は、ＢＬＥ通信（ステップＳ４）で取得した無線ＬＡＮ用通信情報のうちの「ＩＰアドレス」を利用して通信先装置を特定するとともに、当該特定された通信先装置であるＭＦＰ１０との間で無線ＬＡＮ通信を試行する（ステップＳ５）。なお、この段階では、ステップＳ４で取得された情報を携帯端末５０に登録する処理は未だ実行されない。また、このステップＳ５における無線ＬＡＮ通信（試行通信）では、当該通信先装置（ＭＦＰ１０）に関する「ＩＰアドレス」以外の情報（ＳＳＩＤおよびパスワード）に関しては、予め登録されていた情報のみが利用され、ステップＳ４で取得された情報は利用されない。
【００９２】
そして、携帯端末５０は、ＭＦＰ１０との無線ＬＡＮ通信を実行するための通信用情報（詳細には、ＩＰアドレスのみならず、ＳＳＩＤおよびパスワードをも含む情報（無線ＬＡＮ通信用情報とも称する））の登録処理がアプリケーション１２０内にて既に完了していたか否かを、当該無線ＬＡＮ通信の成否（無線ＬＡＮ通信の試行結果）に応じて判定する（ステップＳ１１）。
【００９３】
仮に、ＭＦＰ１０に関する無線ＬＡＮ通信用情報の登録がアプリケーション１２０内にて既に完了していた場合には、登録済みの情報（ＳＳＩＤおよびパスワード）もが自動的に利用されて無線ＬＡＮ通信が行われる。その結果、携帯端末５０とＭＦＰ１０との間での当該無線ＬＡＮ通信が成功する。
【００９４】
一方、ＭＦＰ１０に関する無線ＬＡＮ通信用情報の登録がアプリケーション１２０内にて未だ完了していなかった場合には、ＳＳＩＤおよびパスワードが利用されることなく無線ＬＡＮ通信が行われる。その結果、携帯端末５０とＭＦＰ１０との間での当該無線ＬＡＮ通信は失敗する。
【００９５】
ここでは、このような特質を利用して、携帯端末５０は、ＭＦＰ１０に関する無線ＬＡＮ通信用情報の登録の有無を、無線ＬＡＮ通信の成否（無線ＬＡＮ通信の試行結果）に基づいて判定する。具体的には、無線ＬＡＮ通信が成功する場合には、ＭＦＰ１０に関する無線ＬＡＮ通信用情報の登録はアプリケーション１２０内にて既に完了している旨が判定される。一方、無線ＬＡＮ通信が失敗する場合には、ＭＦＰ１０に関する無線ＬＡＮ通信用情報の登録はアプリケーション１２０内にて未だ完了していない旨が判定される。
【００９６】
さらに、この判定結果に応じた分岐処理が行われる（ステップＳ１１）。
【００９７】
ステップＳ５の無線ＬＡＮ通信が成功し、ＭＦＰ１０に関する無線ＬＡＮ通信用情報の登録が完了済みである旨が判定される場合には、ステップＳ１１からステップＳ１２に進む。
【００９８】
ステップＳ１２では、携帯端末５０は、ＢＬＥ通信から無線ＬＡＮ通信に移行し、ＭＦＰ１０に関する詳細情報の送信を無線ＬＡＮ通信でＭＦＰ１０に対して要求する。この要求に応答して、ＭＦＰ１０は、当該ＭＦＰ１０に関する詳細情報（設置場所、機種名、認証情報等）を無線ＬＡＮ通信で携帯端末５０に送信する。携帯端末５０は、当該詳細情報をＭＦＰ１０から受信するとともに、画面３０３（図８）をタッチパネル７５に表示する。
【００９９】
画面３０３では、無線ＬＡＮ通信による通信先装置との通信が成功した旨（「プリンタが見つかりました」）等が表示欄３１１に表示されるとともに、当該通信先装置（ＭＦＰ１０）をアプリケーション１２０に装置登録する旨を指示するためのボタン３１３が表示される。ユーザがボタン３１３を押下して登録指示（追加指示）を付与すると、ＭＦＰ１０に関する装置情報（ＩＰアドレス、無線ＬＡＮ用のＳＳＩＤ、無線ＬＡＮ用のパスワード、ＭＡＣアドレス、設置場所、機種名、認証情報等）がアプリケーション１２０にて登録される。
【０１００】
更には、図９に示すようなダイアログ画面３１５が表示され、現在の追加処理（登録処理）の対象装置（ＭＦＰ１０）を、アプリケーション１２０におけるデフォルト装置として登録するか否かが確認される。ダイアログ画面３１５内の「はい」ボタンが押下されると、当該ＭＦＰ１０がデフォルト装置として登録される。一方、ダイアログ画面３１５内の「いいえ」ボタンが押下されると、当該ＭＦＰ１０はデフォルト装置としては登録されない。
【０１０１】
ステップＳ１２においては、以上のような処理が行われる。
【０１０２】
一方、ステップＳ５の無線ＬＡＮ通信が失敗し、ＭＦＰ１０に関する無線ＬＡＮ通信用情報の登録処理が未完了である旨が判定される場合には、ステップＳ１１からステップＳ２１に進む。換言すれば、当該登録処理が未完了である旨が判定されることを条件に、ステップＳ２１，Ｓ２２の処理（次述）が実行され、当該登録処理の許否が決定される。
【０１０３】
ステップＳ２１においては、まず、携帯端末５０は、図１０のようなダイアログ画面３１７をタッチパネル７５に表示する。ダイアログ画面（メッセージ画面）３１７には、ＱＲコード（二次元バーコード）の表示の仕方を説明する文言、および「ＭＦＰの操作パネルにＱＲコードを表示してください。」の文言等が記載されている。
【０１０４】
次に、ユーザは、当該ダイアログ画面３１７の表示内容を参照しつつＭＦＰ１０の操作パネル部６ｃ（タッチパネル２５等）を用いたメニュー選択操作等を行い、ＭＦＰ１０のタッチパネル２５に二次元バーコード（ＱＲコード）３１８（図１１参照）を表示させる。二次元バーコード３１８は、ＭＦＰ１０によって生成されＭＦＰ１０のタッチパネル２５に表示される。二次元バーコード３１８には、ＭＦＰ１０の装置識別情報（ＭＡＣアドレス等）、および当該ＭＦＰ１０の無線ＬＡＮ通信用（無線ＬＡＮ接続用）の情報（ＳＳＩＤ、パスワード、ＩＰアドレス）などが埋め込まれている。
【０１０５】
さらに、ダイアログ画面３１７内のＯＫボタンが押下されると、携帯端末５０は、その撮像部５７を用いた撮影モード（詳細には、二次元バーコード認識用の撮影モード）に遷移する。ユーザは、自分の携帯端末５０をタッチパネル２５の付近に移動して、ＭＦＰ１０のタッチパネル２５に表示されている二次元バーコードを、携帯端末５０の撮像部５７で撮像する。携帯端末５０（認識部６７等）は、撮像部５７によって撮像された撮影画像（当該二次元バーコードを含む撮影画像）を解析し、当該二次元バーコードに埋め込まれていた情報を抽出する。
【０１０６】
そして、ステップＳ２２において、携帯端末５０は、二次元バーコードから取得された情報（ステップＳ２１）とＢＬＥ通信にて取得された情報（ステップＳ１〜Ｓ４）とを比較（照合）する。端的に言えば、２つの異なる経路で取得された情報が比較される。
【０１０７】
ステップＳ２２においては、たとえば、二次元バーコードから取得された３つの情報（ＳＳＩＤ、パスワード、ＭＡＣアドレス）とＢＬＥ通信にて取得された３つの情報情報（ＳＳＩＤ、パスワード、ＭＡＣアドレス）とがそれぞれ一致するか否かが判定される。また、その判定結果に基づき、携帯端末５０を所持しているユーザがＭＦＰ１０の近傍に存在するか否かがさらに判定される。
【０１０８】
２つの異なる経路で取得された３種類の情報（合計６つの情報）のうち、当該２つの経路で取得された同種の情報同士のいずれかが一致しない場合には、携帯端末５０がＭＦＰ１０の近傍に存在しない旨が判定される。たとえば、二次元バーコードから取得されたＳＳＩＤとＢＬＥ通信にて取得されたＳＳＩＤとが一致しない場合には、携帯端末５０がＭＦＰ１０の近傍に存在しない旨が判定される。そして、処理はステップＳ２２からステップＳ２８に進む。
【０１０９】
このように、当該２つの異なる経路で取得された情報の同一性が否定される場合には、携帯端末５０がＭＦＰ１０の近傍に存在しない旨が判定され、処理はステップＳ２８に進む。
【０１１０】
ステップＳ２８では、携帯端末５０は、エラーメッセージをタッチパネル７５に表示する。この場合、ステップＳ２３，Ｓ２４の各処理（後述）は行われない。
【０１１１】
一方、２つの異なる経路で取得された３種類の情報（合計６つの情報）のうち、当該２つの経路で取得された同種の情報同士（対応する情報同士）のいずれもが一致する場合には、携帯端末５０がＭＦＰ１０の近傍に存在することが判定（確認）される。この場合、処理はステップＳ２２からステップＳ２３に進む。このように、当該２つの異なる経路で取得された情報が互いに一致することが確認される場合には、携帯端末５０がＭＦＰ１０の近傍に存在する旨が判定され、処理はステップＳ２３に進む。
【０１１２】
なお、ここでは、ステップＳ２２において、３種類の情報（ＳＳＩＤ、パスワード、ＭＡＣアドレス）に関する照合動作が行われているが、これに限定されない。たとえば、より多数の種類の情報（たとえば、ＩＰアドレス等をも含む４種類以上の情報）に関する照合動作が行われてもよい。あるいは、比較的少数の種類の情報に関する照合動作が行われてもよい。ただし、比較的多数の種類の情報を用いて照合動作が行われることによれば、不正アクセスの可能性を比較的低減することが可能である。
【０１１３】
ステップＳ２３においては、携帯端末５０は、ステップＳ４で取得した情報（および／またはステップＳ２１で取得した情報）に基づいて、ＭＦＰ１０に関する無線ＬＡＮ通信用のプロファイル（データ）を作成する。当該プロファイルには、画像形成装置１０との無線ＬＡＮ通信用の情報（ＳＳＩＤおよびパスワード等）が含まれている。さらに、携帯端末５０は、当該プロファイルをＯＳ１１０に登録するための画面（プロファイル登録画面）３０８（図１２参照）を表示する。プロファイル登録画面３０８内のインストールボタン３２８がユーザにより押下されると、携帯端末５０は、当該プロファイルをインストールする。これにより、当該プロファイルがＯＳ１１０に登録される。なお、当該プロファイルの登録処理は、ＭＦＰ１０との無線ＬＡＮ通信向けの通信用情報（ＳＳＩＤおよびパスワード等）を当該無線ＬＡＮ通信を実行するために携帯端末５０に登録する登録処理である、とも表現される。
【０１１４】
このように、ステップＳ２３においては、携帯端末５０のユーザがＭＦＰ１０の近傍に存在することが確認されることを条件として、プロファイル登録処理等が許可される。
【０１１５】
その後、ステップＳ２４においては、ステップＳ１２の処理と同様の処理が実行される。具体的には、携帯端末５０は、ＢＬＥ通信から無線ＬＡＮ通信に移行し、ＭＦＰ１０に関する詳細情報の送信を無線ＬＡＮ通信でＭＦＰ１０に対して要求する。この要求に応答して、ＭＦＰ１０は、当該ＭＦＰ１０に関する詳細情報（設置場所、機種名、認証情報等）を無線ＬＡＮ通信で携帯端末５０に送信する。携帯端末５０は、当該詳細情報をＭＦＰ１０から受信するとともに、画面３０３（図８）をタッチパネル７５に表示する。その後、ユーザがボタン３１３を押下して登録指示（追加指示）を付与すると、ＭＦＰ１０に関する装置情報（ＩＰアドレス、無線ＬＡＮ用のＳＳＩＤ、無線ＬＡＮ用のパスワード、ＭＡＣアドレス、設置場所、機種名、認証情報等）がアプリケーション１２０にて登録される。さらに、ダイアログ画面３１５（図９）が表示され、デフォルト装置としての登録処理を行うか否かが確認される。
【０１１６】
以上のような動作によれば、まず、無線ＬＡＮ通信で利用されるＩＰアドレスがＢＬＥ通信にて取得され、当該ＩＰアドレスによる通信の成否に基づき、ＳＳＩＤおよびパスワード等の通信用情報が携帯端末５０に登録されているか否かが判定される（ステップＳ１１）。当該通信用情報が携帯端末５０に未だ登録されていないと判定される場合には、直ちに当該通信用情報の登録処理が実行されるのではなく、「携帯端末５０を所持しているユーザがＭＦＰ１０の近傍に存在すること」を確認する処理（ステップＳ２１，Ｓ２２）がまず実行される。そして、ＭＦＰ１０の近傍に当該ユーザが存在する旨が確認されることを条件として、ＭＦＰ１０との無線ＬＡＮ通信向けの通信用情報（ＳＳＩＤおよびパスワード等）を当該無線ＬＡＮ通信を行うために携帯端末５０に登録する登録処理（プロファイル登録処理等）が許可される（ステップＳ２３）。したがって、ＭＦＰ１０の近傍に存在しないユーザ（非近傍ユーザ）によるプロファイル登録等が回避され、非近傍ユーザによるＭＦＰ１０へのアクセスが抑止され得る。
【０１１７】
また、ＢＬＥ通信においてＭＦＰ１０と携帯端末５０との間のペアリング処理（特に、ユーザ確認を伴うペアリング処理（「Numeric Comparison」方式あるいは「Passkey Entry」方式等））が実行されない場合であっても、ユーザがＭＦＰ１０の近傍に存在することが二次元バーコードの撮影画像等を用いて確認された上で、プロファイル登録処理等が許可される。したがって、ペアリング処理が実行されない場合であっても、非近傍ユーザによるＭＦＰ１０へのアクセスが適切に抑止され得る。
【０１１８】
＜２．第２実施形態＞
第２実施形態は、第１実施形態の変形例である。以下では、第１実施形態との相違点を中心に説明する。
【０１１９】
上記第１実施形態においては、携帯端末５０の所持ユーザがＭＦＰ１０の近傍に存在することが、二次元バーコードを利用して確認されている。
【０１２０】
この第２実施形態においては、携帯端末５０の所持ユーザがＭＦＰ１０の近傍に存在することが、ＮＦＣタグを利用して確認される。
【０１２１】
第２実施形態に係るＭＦＰ１０（１０Ｂ）（図１３参照）は、ＮＦＣタグ７をも有している。当該ＮＦＣタグ７は、たとえば、ＭＦＰ１０の操作パネル部６ｃ（あるいはＭＦＰ１０の本体部等）の表面付近に内蔵される。ＮＦＣタグ７には、たとえば、ＭＦＰ１０の装置識別情報（ＭＡＣアドレス等）が埋め込まれている。
【０１２２】
図１４は、第２実施形態に係る携帯端末５０（５０Ｂとも称する）のアプリケーション１２０（１２０Ｂとも称する）の動作を示すフローチャートであり、図１５は、第２実施形態に係るシステム１（１Ｂ）における各装置の動作を示すシーケンス図である。これらの図を参照しながら、当該システム１Ｂにおける動作について説明する。
【０１２３】
図１４と図４とを比較すると判るように、第２実施形態に係る動作は、ステップＳ２１，Ｓ２２に代えてステップＳ３１，Ｓ３２の処理が行われる点で、第１実施形態の動作と相違する。なお、ステップＳ１〜Ｓ５，Ｓ１１，Ｓ１２，Ｓ２３，Ｓ２４，Ｓ２８においては、図４と同様の動作が行われる。
【０１２４】
具体的には、ステップＳ５の無線ＬＡＮ通信が失敗し、ＭＦＰ１０に関する無線ＬＡＮ通信用情報の登録が未完了である旨が判定される場合には、ステップＳ１１からステップＳ３１に進む。
【０１２５】
ステップＳ３１においては、まず、携帯端末５０は、ダイアログ画面（不図示）をタッチパネル７５に表示する。当該ダイアログ画面（メッセージ画面）には、「携帯端末をＭＦＰのＮＦＣタッチ位置にタッチさせてください。」などの文言（携帯端末５０をＭＦＰのＮＦＣタグに接触（近接）させるべき旨の指示（ＮＦＣタグ読取指示））が記述される。
【０１２６】
次に、ユーザは、当該ダイアログ画面の表示内容を参照しつつＭＦＰ１０のタッチ位置（たとえば操作パネル部６ｃの所定位置）に携帯端末５０を接触（近接）させる。
【０１２７】
携帯端末５０は、近距離無線通信部５４ｂに含まれるＮＦＣ通信部（ＮＦＣリーダ（あるいは情報読取部）等とも称する）を利用してＭＦＰ１０内のＮＦＣタグ７と通信し、ＮＦＣタグ７内の情報を読み取って取得する。具体的には、携帯端末５０は、ＭＦＰ１０の装置識別情報（ＭＡＣアドレス等）をＮＦＣタグ７から取得する。
【０１２８】
そして、ステップＳ３２において、携帯端末５０は、ＮＦＣタグ７から取得された情報（詳細にはＭＡＣアドレス）（ステップＳ３１）とＢＬＥ通信にて取得された情報（詳細にはＭＡＣアドレス）（ステップＳ１〜Ｓ４）とを比較（照合）する。端的に言えば、２つの異なる経路で取得された情報が比較される。
【０１２９】
当該２つの異なる経路で取得された情報の同一性が否定される場合には、処理はステップＳ２８に進む。
【０１３０】
一方、当該２つの異なる経路で取得された情報が同一であることが確認されると、携帯端末５０がＭＦＰ１０の近傍に存在することが判定（確認）され、処理はステップＳ２３に進む。ステップＳ２３では、第１実施形態と同様に、ステップＳ４等で取得された情報（ＭＡＣアドレス、ＳＳＩＤ、パスワード、ＩＰアドレス等）に基づいて、無線ＬＡＮ通信用のプロファイルの作成処理および当該プロファイルの登録処理等が実行される。また、次のステップＳ２４では、第１実施形態と同様に、ＢＬＥ通信から無線ＬＡＮ通信への移行が行われるとともに、当該無線ＬＡＮ通信を利用して取得された情報等をも含む装置情報をアプリケーション１２０に登録する処理（装置登録処理）等が実行される。
【０１３１】
以上のような動作によれば、第１実施形態と同様の効果を得ることが可能である。特に、第２実施形態においては、二次元バーコードに代えてＮＦＣタグ等を用いることによって、携帯端末５０のユーザがＭＦＰ１０の近傍に存在することが確認され得る。具体的には、ステップＳ３１にて取得された情報と、ステップＳ１〜Ｓ４にて取得された情報とが一致することを条件として、ユーザがＭＦＰ１０の近傍に存在することが確認される。そして、当該ユーザがＭＦＰ１０の近傍に存在することが確認されることを条件として、ＭＦＰ１０との無線ＬＡＮ通信での通信用情報（ＳＳＩＤおよびパスワード等）を当該無線ＬＡＮ通信を行うために携帯端末５０に登録する登録処理（プロファイル登録処理等）が許可される（ステップＳ２３）。したがって、ＭＦＰ１０の近傍に存在しないユーザ（非近傍ユーザ）によるプロファイル登録等が回避され、非近傍ユーザによるＭＦＰ１０へのアクセスが抑止され得る。
【０１３２】
なお、上記第２実施形態では、ＮＦＣタグ７には、単一の情報（ＭＡＣアドレス）のみが格納されているが、これに限定されず、複数の情報（ＭＦＰ１０の無線ＬＡＮ通信用の情報（ＳＳＩＤ、パスワード、ＩＰアドレス）の全部または一部）等をも含む情報）が格納されていてもよい。また、その場合、ステップＳ３２においては、複数の種類の情報のそれぞれに関する照合処理が実行されてもよい。
【０１３３】
＜３．第３実施形態＞
第３実施形態は、第１実施形態の変形例である。以下では、第１実施形態との相違点を中心に説明する。
【０１３４】
上記第１実施形態においては、携帯端末５０の所持ユーザがＭＦＰ１０の近傍に存在することが、二次元バーコードを利用して確認されている。
【０１３５】
この第３実施形態においては、携帯端末５０の所持ユーザがＭＦＰ１０の近傍に存在することが、ＩＣカード（携帯端末５０のユーザによって所持されるＩＣカード）を利用して確認される。ＩＣカードとしては、たとえば、「Ｓｕｉｃａ」（登録商標）などの非接触型ＩＣカードが例示される。
【０１３６】
第３実施形態に係るＭＦＰ１０（１０Ｃ）（図１６参照）は、ＩＣカードリーダ８をも有している。当該ＩＣカードリーダ８は、たとえば、ＭＦＰ１０の操作パネル部６ｃ（あるいはＭＦＰ１０の本体部等）の表面付近に内蔵される。後述するように、ＩＣカードリーダ８によってＩＣカード内の情報（カード識別情報（カード番号））が読み取られ、読み取られた情報はＢＬＥ通信を利用してＭＦＰ１０から携帯端末５０へと送信される。このようにして、携帯端末５０は、そのユーザのＩＣカードのカード識別情報をＭＦＰ１０を経由して取得する。
【０１３７】
図１７は、第３実施形態に係る携帯端末５０（５０Ｃとも称する）のアプリケーション１２０（１２０Ｃとも称する）の動作を示すフローチャートであり、図１８は、第３実施形態に係るシステム１（１Ｃ）における各装置の動作を示すシーケンス図である。これらの図を参照しながら、当該システム１Ｃにおける動作について説明する。
【０１３８】
図１７と図４とを比較すると判るように、第３実施形態に係る動作は、ステップＳ２１，Ｓ２２に代えてステップＳ４１，Ｓ４２の処理が行われる点で、第１実施形態の動作と相違する。なお、ステップＳ１〜Ｓ５，Ｓ１１，Ｓ１２，Ｓ２３，Ｓ２４，Ｓ２８においては、図４と同様の動作が行われる。
【０１３９】
また、図１８の冒頭部分に示すように、図１７の処理が行われる前において、携帯端末５０のユーザのＩＣカードのＩＤ情報（カード識別番号）が、予めアプリケーション１２０に登録される。詳細には、携帯端末５０のユーザは、アプリケーション１２０において、自らのＩＣカードのうちの所望のＩＣカードを、ＭＦＰ１０との通信で利用可能なＩＣカードとして登録する操作を行う。具体的には、登録対象のＩＣカードのカード識別番号を登録する操作が行われる。携帯端末５０は、ユーザの当該操作に基づき、当該登録対象のＩＣカードのカード識別情報をアプリケーション１２０に登録する。
【０１４０】
第３実施形態においては、まず、ステップＳ１〜Ｓ５，Ｓ１１の処理が第１実施形態と同様にして実行される。
【０１４１】
そして、ステップＳ５の無線ＬＡＮ通信が失敗し、ＭＦＰ１０に関する無線ＬＡＮ通信用情報の登録が未完了である旨が判定される場合には、ステップＳ１１からステップＳ４１に進む。
【０１４２】
ステップＳ４１においては、まず、携帯端末５０は、不図示のダイアログ画面をタッチパネル７５に表示する。当該ダイアログ画面（メッセージ画面）には、「ＩＣカードをＭＦＰのカードタッチ位置にタッチさせてください。」などの文言（ＩＣカードをＭＦＰのＩＣカードリーダに接触（近接）させるべき旨の指示（ＩＣカード近接指示））が記述される。
【０１４３】
次に、ユーザは、当該ダイアログ画面の表示内容を参照しつつＭＦＰ１０のタッチ位置（たとえば操作パネル部６ｃの所定位置）にＩＣカードを接触（近接）させる。
【０１４４】
ＭＦＰ１０は、ＩＣカードリーダ８を利用して当該ＩＣカード内のカード識別情報（カード番号）を読み取る。そして、ＭＦＰ１０は、読み取った情報（カード識別情報）を携帯端末５０に向けて、ＢＬＥ通信を利用して送信する（図１８も参照）。
【０１４５】
携帯端末５０は、ＭＦＰ１０からＢＬＥ通信で送信されてきた情報を受信することによって、ＩＣカードのカード識別情報を取得する。換言すれば、携帯端末５０は、ＭＦＰ１０のＩＣカードリーダによって読み取って得られたカード識別情報（携帯端末５０のユーザのＩＣカードのカード識別情報）を、ＢＬＥ通信を利用してＭＦＰ１０から受信して取得する。
【０１４６】
そして、ステップＳ４２において、携帯端末５０は、ＭＦＰ１０で読み取られて送信されてきたカード識別情報（ステップＳ４１）と、ステップＳ１よりも前にアプリケーション１２０に予め登録されていたカード識別情報とを比較（照合）する。端的に言えば、２つの異なる経路で取得された情報が比較される。
【０１４７】
当該２つの異なる経路で取得された情報の同一性が否定される場合には、処理はステップＳ２８に進む。
【０１４８】
一方、当該２つの異なる経路で取得された情報が同一であることが確認されると、携帯端末５０がＭＦＰ１０の近傍に存在することが判定（確認）され、処理はステップＳ２３に進む。ステップＳ２３では、第１実施形態と同様に、無線ＬＡＮ通信用のプロファイルの作成処理および当該プロファイルの登録処理等が実行される。第３実施形態に係るステップＳ２３では、ステップＳ４のＢＬＥ通信によって取得された各種情報（ＭＦＰ１０の装置識別情報（ＭＡＣアドレス等）、および当該ＭＦＰ１０の無線ＬＡＮ通信用の情報（ＳＳＩＤ、パスワード、ＩＰアドレス）等）を用いて、プロファイルの作成処理等が行われる。
【０１４９】
また、次のステップＳ２４では、ＢＬＥ通信から無線ＬＡＮ通信への移行が行われるとともに、当該無線ＬＡＮ通信を利用して取得された情報等をも含む装置情報をアプリケーション１２０に登録する処理（装置登録処理）等が実行される。
【０１５０】
以上のような動作によれば、第１実施形態と同様の効果を得ることが可能である。特に、第３実施形態においては、二次元バーコードに代えてＩＣカード等を用いることによって、携帯端末５０のユーザがＭＦＰ１０の近傍に存在することが確認され得る。具体的には、ステップＳ４１にて取得されたカード識別情報と、（ステップＳ１よりも前に）携帯端末５０にて予め登録されているカード識別情報とが一致することを条件として、ユーザがＭＦＰ１０の近傍に存在することが確認される。そして、当該ユーザがＭＦＰ１０の近傍に存在することが確認されることを条件として、ＭＦＰ１０との無線ＬＡＮ通信での通信用情報（ＳＳＩＤおよびパスワード等）を当該無線ＬＡＮ通信を行うために携帯端末５０に登録する登録処理（プロファイル登録処理等）が許可される（ステップＳ２３）。したがって、ＭＦＰ１０の近傍に存在しないユーザ（非近傍ユーザ）によるプロファイル登録等が回避され、非近傍ユーザによるＭＦＰ１０へのアクセスが抑止され得る。
【０１５１】
また、この実施形態においては、各ユーザが自らの携帯端末５０（アプリケーション１２０）に自分用のＩＣカードを登録すればよく、管理者が全ユーザの全ＩＣカードをＭＦＰ１０に登録することを要しない。したがって、管理者の負担を軽減することが可能である。
【０１５２】
＜４．第４実施形態＞
携帯端末５０（アプリケーション１２０）は、近距離無線通信を利用してＭＦＰ１０と通信して当該ＭＦＰ１０へのログイン（ＭＦＰ１０のパネル操作用のログイン）を行うことが可能である。この第４実施形態においては、このようなログイン機能（アプリケーション１２０を用いたパネルログイン機能）について説明する。なお、第４実施形態のシステム１（１Ｄ）は、第３実施形態のシステム１（１Ｃ）と同様の構成を有しており、第４実施形態に係るＭＦＰ１０（１０Ｄ）および携帯端末５０（５０Ｄ）は、第３実施形態に係るＭＦＰ１０（１０Ｃ）および携帯端末５０（５０Ｃ）とそれぞれ同様の構成を有している。ただし、第４実施形態に係るＭＦＰ１０Ｄは、図１９に示すように、判定部１５（後述）をも有している。
【０１５３】
アプリケーション１２０を用いたパネルログイン機能（アプリ利用式パネルログイン機能とも称する）は、ＭＦＰ１０の操作パネル部６ｃ（タッチパネル２５）に対するログイン操作を伴ってＭＦＰ１０にログインする代わりに、携帯端末５０に対する操作を伴ってＭＦＰ１０にログインする機能である。より具体的には、このアプリ利用式パネルログイン機能は、アプリケーション１２０に予め登録された認証情報（ログイン情報）を携帯端末５０からＭＦＰ１０へとＢＬＥ通信で送信することによって認証処理（ログイン処理）を実行する機能である。アプリ利用式パネルログイン機能は、ユーザによる操作パネル部６ｃへの認証情報（ログイン情報）の入力操作が不要である点で便利である。
【０１５４】
なお、当該アプリ利用式パネルログイン機能によってログインしたユーザは、ＭＦＰ１０の操作パネル部６ｃ（タッチパネル２５）を用いてＭＦＰ１０を利用することが可能である。具体的には、当該ログインユーザは、操作パネル部６ｃを操作してＭＦＰ１０の各種機能（スキャン機能およびコピー機能等）を利用することが可能である。また、当該アプリ利用式パネルログイン機能においては、ＭＦＰ１０と携帯端末５０との間では、ＢＬＥ通信のみが利用され、無線ＬＡＮ通信は利用されない。
【０１５５】
アプリ利用式パネルログイン機能は、本来的にはＭＦＰ１０の近傍に存在するユーザによって利用されることを前提とする機能である。しかしながら、上述のように、ＢＬＥ通信の通信距離は、ＮＦＣ通信の通信距離に比べて長く、たとえば３０メートル程度に及ぶことも有る。そのため、ログイン情報をＢＬＥ通信で携帯端末５０からＭＦＰ１０に送信することが可能である場合に、常にログイン情報を送信して認証処理を実行してしまうと、ログインユーザＵ１がＭＦＰ１０から比較的離れた場所に存在する場合であっても、当該ログインユーザＵ１によるログインが許容されてしまう。この場合、ＭＦＰ１０は、当該ログインユーザＵ１とは別のユーザＵ２（ＭＦＰ１０の近傍に存在するユーザＵ２）によるＭＦＰ１０の操作（パネル操作）を当該ログインユーザＵ１の操作とし誤認識して、当該操作に基づく処理を実行してしまう可能性が有る。端的に言えば、別ユーザＵ２のパネル操作がログインユーザＵ１のパネル操作として誤認識される可能性がある。
【０１５６】
そこで、この実施形態においては、携帯端末５０を所持しているユーザ（ログインしよとしているユーザ）Ｕ１がＭＦＰ１０の近傍に存在することを確認する処理が実行される。具体的には、後述するように、当該ユーザＵ１のＩＣカードをＭＦＰ１０に接触（近接）させる操作を利用して、当該ユーザＵ１がＭＦＰ１０の近傍に存在することが確認される。これによれば、比較的離れた場所に存在する携帯端末５０を用いたＭＦＰ１０へのログインを防止して、ログインユーザＵ１の操作とは別のユーザＵ２による操作が当該ログインユーザＵ１の操作として誤認識されることを回避することが可能である。
【０１５７】
なお、第４実施形態においても、第３実施形態と同様に、当該ＩＣカード（換言すれば、そのカード識別情報）は、（ステップＳ１よりも前に、）そのユーザＵ１によって自らの携帯端末５０（アプリケーション１２０）に予め登録されているものとする。また、ユーザＵ１のログイン情報（ユーザＩＤおよびパスワード等）も、（ステップＳ１よりも前に）ユーザＵ１によって当該携帯端末５０（アプリケーション１２０）に予め登録されているものとする。これらの登録処理は、登録制御部６５等によって受け付けられればよい。
【０１５８】
以下、第４実施形態に係る動作について図２０および図２１等を参照しながら詳細に説明する。図２０は、第４実施形態に係る携帯端末５０（５０Ｄ）のアプリケーション１２０（１２０Ｄとも称する）の動作を示すフローチャートであり、図２１は、第４実施形態に係るシステム１（１Ｄ）における各装置の動作を示すシーケンス図である。
【０１５９】
まず、アプリ利用式パネルログイン機能を利用したいユーザは、携帯端末５０にてアプリケーション１２０を起動するとともに、メニュー画面２０１（図６）でボタン２１２（選択肢「ＭＦＰパネルログイン」）を押下する。なお、「ＭＦＰパネルログイン」機能におけるログインは、上述の「装置登録」完了済みの装置に関してのみ許容される。
【０１６０】
携帯端末５０は、「ＭＦＰパネルログイン」が押下（選択）されると、まず、ログイン対象の装置（ログイン対象装置）を特定する。１台のＭＦＰ１０に関してのみ装置登録が既に行われている場合には、当該ＭＦＰ１０をログイン対象の装置として特定する。一方、複数のＭＦＰ１０に関する装置登録が既に行われている場合には、携帯端末５０は、複数のＭＦＰ１０の中から所望のＭＦＰ１０を選択するための画面（不図示）をタッチパネル７５に表示し、ユーザの選択操作に応じて、ログイン対象装置を特定する。具体的には、ユーザによって選択された装置（被選択装置）がログイン対象装置として特定される。
【０１６１】
ログイン対象装置が特定されると、携帯端末５０は、ダイアログ画面５０１（図２２）をタッチパネル７５に表示する。ダイアログ画面５０１には、「ＩＣカードでＭＦＰにタッチしてください。」との文言が記述される。
【０１６２】
次に、ユーザは、ＭＦＰ１０に近接している状態で、当該ダイアログ画面５０１の表示内容を参照しつつＭＦＰ１０のタッチ位置（ＩＣカードリーダ８の配置場所）に自らのＩＣカードを接触（近接）させる（ステップＳ６１（図２０および図２１参照））。
【０１６３】
ＭＦＰ１０は、ＩＣカードリーダ８を利用して当該ＩＣカード内のカード識別情報（カード番号）を読み取る。そして、ＭＦＰ１０（詳細には判定部１５）は、当該カード識別情報がＭＦＰ１０に既に登録されたものであるか否かを判定する。なお、判定部１５は、ユーザによるＭＦＰ１０へのログイン操作が行われるに際して、ＩＣカードリーダ８によって読み取って得られたカード識別情報が既にＭＦＰ１０に登録されているか否かを判定する処理部である。
【０１６４】
なお、カード識別情報の「ＭＦＰ１０への登録」とカード識別情報の「携帯端末５０への登録」とは互いに異なる概念である。携帯端末５０への登録が既に行われているカード識別情報（携帯端末５０への登録済み情報）であっても、必ずしもＭＦＰ１０への登録が行われているとは限らない。ＭＦＰ１０への登録は、たとえばステップＳ６４（後述）等において行われる。
【０１６５】
ＩＣカードリーダ８を用いて読み取られたカード識別情報がＭＦＰ１０に登録済みであると判定される場合には、ＭＦＰ１０は、当該ＩＣカードがＭＦＰ１０に登録済みのカードである旨を判定するとともに当該ＩＣカードの所持ユーザがＭＦＰ１０の近傍に存在する旨を直ちに判定する。そして、ＭＦＰ１０は、自らの装置識別情報（ＭＡＣアドレス等）とログイン情報の送信要求とを携帯端末５０に対してＢＬＥ通信で直ちに送信する。
【０１６６】
携帯端末５０は、当該装置識別情報を受信すると、被選択装置の登録済みＭＡＣアドレス（装置識別情報）とＢＬＥ通信で受信したＭＡＣアドレスとを照合して、ＭＦＰ１０がユーザの所望の通信対象装置であることを確認する。また、携帯端末５０は、当該送信要求を受信すると、ＩＣカードが正規のものである旨と当該ＩＣカードの所持ユーザがＭＦＰ１０の近傍に存在する旨とがＭＦＰ１０によって判定されたものとみなして、ステップＳ６２からステップＳ６７（図２０）に進む。
【０１６７】
ステップＳ６７では、携帯端末５０は、当該送信要求に応じて、アプリケーション１２０に予め登録されていたログイン情報（認証情報）をＭＦＰ１０に送信する。また、ＭＦＰ１０は、携帯端末５０から送信されてきたログイン情報（ログイン用のユーザＩＤ、およびログイン用のパスワード）を用いて認証処理を実行する。当該認証処理が成功すると、ＭＦＰ１０は、ログイン情報に対応するユーザのログインを許可する。すなわち、パネルログインが完了する。その後、ログアウトまでの期間において、当該ユーザは、ＭＦＰ１０に対して操作パネル部６ｃを利用してＭＦＰ１０を操作することが可能である。
【０１６８】
このように、ＩＣカードがＭＦＰ１０に登録済みのカードである場合（ＩＣカードリーダ８を用いて読み取られたカード識別情報がＭＦＰ１０に登録済みである場合）には、携帯端末５０における登録内容との照合動作（ステップＳ６３（後述））は行われない。そして、当該ＩＣカードのユーザがＭＦＰ１０の近傍に存在することが確認されたものと判断されて、ステップＳ６７に進み、ログイン情報の送信動作等が行われる。
【０１６９】
一方、ＩＣカードリーダ８を用いて読み取られたカード識別情報がＭＦＰ１０に未だ登録されていない（当該ＩＣカードはＭＦＰ１０に未登録のカードである）と判定される場合には、ＭＦＰ１０は、当該カード識別情報をＢＬＥ通信で携帯端末５０に送信する。携帯端末５０は、当該カード識別情報（ＩＣカードのＩＤ情報）をＢＬＥ通信でＭＦＰ１０から受信する（ステップＳ６２）と、カード識別情報に関する照合依頼を受信したものとみなして、ステップＳ６３に進む。
【０１７０】
このように、ユーザがＭＦＰ１０へのログインを望む際に（ユーザによるログイン操作に際して）、ＭＦＰ１０に未登録のＩＣカード（未登録のカード識別情報）がＭＦＰ１０のＩＣカードリーダ８によって読み取られた場合には、当該未登録のカード識別情報が、ＢＬＥ通信によってＭＦＰ１０から携帯端末５０へと送信される（ステップＳ６２）。なお、ステップＳ６２においては、携帯端末５０は、ＭＦＰ１０の装置識別情報（ＭＡＣアドレス等）をもＭＦＰ１０から受信する。そして、処理はステップＳ６３に進む。
【０１７１】
ステップＳ６３では、携帯端末５０は、まず、ＭＦＰ１０の装置識別情報を受信すると、被選択装置の登録済みＭＡＣアドレス（装置識別情報）とＢＬＥ通信で受信したＭＡＣアドレスとを照合して、ＭＦＰ１０がユーザの所望の通信対象装置であることを確認する。
【０１７２】
さらに、ステップＳ６３においては、携帯端末５０（アプリケーション１２０）は、ＭＦＰ１０からステップＳ６２で受信した当該カード識別情報と、アプリケーション１２０に予め登録されていたＩＣカードのカード識別番号とを照合する。端的に言えば、２つの異なる経路で取得された情報が比較される。
【０１７３】
両カード識別番号が同一でない（一致しない）と判定される場合には、ログイン情報の送信は許可されず（ひいてはログインも許可されず）、エラーメッセージが表示される（ステップＳ６８）。
【０１７４】
一方、両カード識別番号が同一である（一致する）と判定される場合（カード識別番号の照合が成功する場合）には、携帯端末５０（アプリケーション１２０）は、ＩＣカードが正規のものである旨を判定するとともに、当該ＩＣカードの所持ユーザがＭＦＰ１０の近傍に存在する旨を判定し、処理はステップＳ６４に進む。
【０１７５】
ステップＳ６４においては、携帯端末５０は、携帯端末５０のユーザ（当該ＩＣカードのユーザ）によるログイン情報の送信を自身に許可する。そして、携帯端末５０は、当該許可に応じて、アプリケーション１２０に予め登録されていたログイン情報をＭＦＰ１０に送信する。ＭＦＰ１０は、携帯端末５０から送信されてきたログイン情報を用いて認証処理を実行する。当該認証処理が成功すると、ＭＦＰ１０は、ログイン情報に対応するユーザのログインを許可する。すなわち、パネルログインが完了する。なお、その後、ログアウトまでの期間において、当該ユーザは、ＭＦＰ１０に対して操作パネル部６ｃを利用してＭＦＰ１０を操作することが可能である。
【０１７６】
また、ステップＳ６４においては、携帯端末５０は、ＩＣカード（詳細にはそのカード識別番号）の登録依頼をも送信する。ＭＦＰ１０は、当該登録依頼に基づいてＩＣカード（詳細にはそのカード識別番号）をＭＦＰ１０に登録する。
【０１７７】
以上のような動作によれば、アプリケーション１２０におけるログイン指示に基づいてログイン情報が携帯端末５０からＭＦＰ１０に無条件に（直ちに）送信されるのではなく、まず、携帯端末５０のユーザがＭＦＰ１０の近傍に存在する旨がＩＣカードを利用して確認される。具体的には、ユーザによるＭＦＰ１０へのログイン操作が行われるに際して、ＩＣカードリーダ８によって読み取って得られたＩＣカードのカード識別情報が、ＢＬＥ通信によってＭＦＰ１０から携帯端末５０へと送信される。携帯端末５０は、ＢＬＥ通信でＭＦＰ１０から受信したカード識別情報と携帯端末５０に予め登録されているカード識別情報とが一致することを条件として、当該ユーザがＭＦＰ１０の近傍に存在することを判定する（ステップＳ６３）。そして、当該ユーザがＭＦＰ１０の近傍に存在することが確認されることを条件として、ＭＦＰ１０に対する当該ユーザのログイン情報がＢＬＥ通信でＭＦＰ１０に送信される（ステップＳ６４）。
【０１７８】
したがって、ＭＦＰ１０の近傍に存在しないユーザ（非近傍ユーザ）によるパネルログインが回避され得る。換言すれば、比較的離れた場所に存在する携帯端末５０を用いたＭＦＰ１０へのログインを防止して、ログインユーザＵ１の操作とは別のユーザＵ２による操作が当該ログインユーザＵ１の操作として誤認識されることを回避することが可能である。
【０１７９】
また、この実施形態においては、各ユーザが自らの携帯端末５０（アプリケーション１２０）に自分用のＩＣカードを登録すればよく、管理者が全ユーザの全ＩＣカードをＭＦＰ１０に登録することを要しない。したがって、管理者の負担を軽減することが可能である。
【０１８０】
＜５．その他＞
上記各実施形態のシステム１においては、上述のように、携帯端末５０のメインメニュー画面２０１（図６）にて、パネルログイン機能を利用することが可能である。
【０１８１】
また、上記においては説明を省略しているが、ＢＬＥ通信を伴って装置登録が行われる場合には、ステップＳ４において、「ＢＬＥ通信を利用したパネルログイン機能をＭＦＰ１０が有している」旨の情報もが、ＭＦＰ１０から携帯端末５０へと送信される。そして、当該情報に基づいて、携帯端末５０（アプリケーション１２０）は、「ＢＬＥ通信を利用したパネルログイン機能をＭＦＰ１０が有している」旨を自装置５０（アプリケーション１２０）に登録する。
【０１８２】
ところで、ＢＬＥ通信を利用しないで装置登録を行った場合には次のような問題が生じ得る。
【０１８３】
たとえば、携帯端末５０のメインメニュー画面２０１（図６）にて、「装置登録」（２１１）を選択した後、次の画面３０１（図７）において「手動」ボタン３２２を押下すると、「手動登録画面」（不図示）が表示される。ユーザは、当該「手動登録画面」を利用して、無線ＬＡＮ通信用情報（接続用情報）（ＩＰアドレス、ＳＳＩＤおよびパスワード等）を手動登録することが可能である。
【０１８４】
ただし、このような手動登録処理で単純に無線ＬＡＮ通信用情報の登録のみが行われる場合には、ＢＬＥ通信を伴わずに設定処理が終了してしまう。この場合、ステップＳ４のＢＬＥ通信が行われないため、携帯端末５０は、「ＢＬＥ通信を利用したパネルログイン機能をＭＦＰ１０が有している」旨の情報を取得することができない。その結果、アプリケーション１２０は、「手動登録画面」で登録された通信先装置が「パネルログイン機能利用可能装置」（ＢＬＥ通信を利用したパネルログイン機能を利用できる装置）であるか否かを知得することが困難である。
【０１８５】
このような場合には、たとえば、図６のメインメニュー画面２０１で「ＭＦＰパネルログイン」２１２が選択されたときに、「パネルログイン機能利用可能装置」（ＭＦＰ１０等）が実際には存在していたとしても、アプリケーション１２０は、当該装置の存在を直ちには認識できない。
【０１８６】
そこで、このシステム１（特に携帯端末５０）においては、登録済み装置一覧画面（次述）を用いて次のような登録処理が実行される。
【０１８７】
具体的には、たとえば、携帯端末５０のメインメニュー画面２０１（図６）の設定ボタン２１５が押下されると、さらにサブメニュー画面（不図示）が表示される。さらに、サブメニュー画面にて選択肢「登録済み装置一覧」を選択されると、図２３のような画面（登録済み装置一覧画面）６０１がタッチパネル７５に表示される。
【０１８８】
画面６０１は、その左側に登録済み装置の表示欄６１１を有する。当該表示欄６１１には１又は複数の登録済みの装置（図２３では２つの装置）が表示され、当該１又は複数の登録済みの装置の中から、ユーザは所望の装置を選択することが可能である。そして、選択された装置（被選択装置）に関する詳細情報が画面６０１内の右側の表示欄６１２に表示される。
【０１８９】
たとえば、ＢＬＥ通信を用いて登録された装置が選択された場合には、当該被選択装置が「ＢＬＥ認証が許可された装置」（「ＢＬＥで登録された装置」）である旨（「許可」）が表示欄６１２内の設定欄６２３（詳細にはその右端側）に表示される。
【０１９０】
一方、手動登録された装置が選択された場合には、当該被選択装置が「ＢＬＥ認証が未だ許可されていない装置」（「ＢＬＥ以外で登録された装置」）である旨（「不許可」）が設定欄６２３（詳細にはその右端側）に表示される。
【０１９１】
さらに、その後、図２４に示すような処理が実行される。
【０１９２】
まず、ステップＳ７１においては、携帯端末５０は、画面６０１にて選択された装置（被選択装置）のＢＬＥ通信用の電波（アドバタイジングデータ送信用電波）を受信しているか否かを判定する。
【０１９３】
アドバタイジングデータ送信用電波が受信されていない場合には、携帯端末５０は、画面６０１内の右側の表示欄６１２内のボタン６２４をグレーアウト表示する（ステップＳ７２）。
【０１９４】
一方、アドバタイジングデータ送信用電波が受信されている場合には、携帯端末５０は、画面６０１内の右側の表示欄６１２内のボタン６２４を通常表示する。すなわち、押下操作が受け付けられ得る状態でボタン６２４が表示される（ステップＳ７３）。そして、携帯端末５０は、ユーザからの当該ボタン６２４に対する押下操作を受け付ける（ステップＳ７４）。
【０１９５】
ボタン６２４に対する押下操作が受け付けられると、ステップＳ７５に進む。ステップＳ７５では、携帯端末５０は、被選択装置のＭＡＣアドレス（以前の装置登録時に取得されて登録されていたＭＡＣアドレス）と、ＢＬＥ通信（ステップＳ７１）で接続した装置のＭＡＣアドレス（現時点でＢＬＥ接続している装置から受信したＭＡＣアドレス）とが一致しているか否かを判定する。
【０１９６】
両ＭＡＣアドレスが一致していない場合には、ステップＳ７８に進む。ステップＳ７８では、携帯端末５０は、エラーメッセージ（「装置が一致しませんでした。選択した装置の前で実行してください」等）を表示する。この場合には、ステップＳ７６の処理は実行されない。
【０１９７】
一方、両ＭＡＣアドレスが一致していることが確認されると、ステップＳ７６に進む。ステップＳ７６では、携帯端末５０は、ＢＬＥ通信でＭＦＰ１０から各種情報（「ＢＬＥ通信を利用したパネルログイン機能をＭＦＰ１０が有している」旨等）を取得する。さらに、携帯端末５０は、当該情報に基づき、「ＢＬＥ通信を利用したパネルログイン機能をＭＦＰ１０が有している」旨等をアプリケーション１２０に登録する。
【０１９８】
その後、アプリケーション１２０のメインメニュー画面２０１が表示される際には、当該ＭＦＰ１０が「ＢＬＥ通信を利用したパネルログイン機能」を有している旨の登録情報に基づき、メインメニュー画面２０１内の選択肢「ＭＦＰパネルログイン」（２１２）が有効化される。ユーザは、当該選択肢２１２を選択（押下）すること等によって、近傍のＭＦＰ１０に対するパネルログイン操作を携帯端末５０を用いて実行することが可能である。
【０１９９】
＜６．変形例等＞
以上、この発明の実施の形態について説明したが、この発明は上記説明した内容のものに限定されるものではない。
【０２００】
たとえば、各実施形態においては、画像形成装置としてＭＦＰを例示しているが、これに限定されず、画像形成装置は、単機能プリンタあるいは単機能スキャナなどであってもよい。
【０２０１】
また、上記第１〜第３実施形態においては、無線ＬＡＮ通信を実行するための通信用情報をＢＬＥ通信にて取得する「取得処理」（ステップＳ４等参照）と、携帯端末５０の所持ユーザがＭＦＰ１０の近傍に存在することを確認する「確認処理」（ステップＳ２２，Ｓ３２，Ｓ４２等参照）とがこの順序で実行されているが、これに限定されない。
【０２０２】
たとえば、逆に、当該確認処理（ステップＳ２２，Ｓ３２，Ｓ４２等参照）が実行された後（且つステップＳ２３の前）に、当該取得処理（ステップＳ４等参照）が実行されるようにしてもよい。
【０２０３】
この場合、当該確認処理（ステップＳ２２，Ｓ３２，Ｓ４２参照）の前に、各実施形態のステップＳ４で送信されていた情報のうちの一部の情報のみが照合用情報としてＭＦＰ１０から携帯端末５０へとＢＬＥ通信にて送信されるようにしてもよい。たとえば、ＭＦＰ１０の装置識別情報を含む情報（照合用情報）が、当該確認処理前にＢＬＥ通信にてＭＦＰ１０から携帯端末５０へと送信されればよい。そして、当該一部の情報（照合用情報）を用いて照合処理（ステップＳ２２，Ｓ３２，Ｓ４２参照）が行われればよい。また、ステップＳ５の前において、ＭＦＰ１０のＩＰアドレスのみが、（ステップＳ５の通信における通信先の特定用情報として）ＭＦＰ１０から携帯端末５０へとＢＬＥ通信で送信されればよい。
【０２０４】
なお、当該照合用情報は、たとえば、通信対象のＭＦＰ１０の装置識別情報（ＭＡＣアドレス）のみで構成されればよい。あるいは、当該照合用情報は、当該装置識別情報と、無線ＬＡＮ通信を実行するための通信用情報の一部（たとえばＳＳＩＤのみ）とを備えて構成されてもよい。無線ＬＡＮ通信用情報の残余の情報（たとえば無線ＬＡＮ用パスワード）（あるいは全部）は、当該確認処理の前にはＭＦＰ１０から携帯端末５０へと送信されず、当該確認処理の後にＭＦＰ１０から携帯端末５０へと送信されればよい。当該確認処理終了前にＭＦＰ１０から携帯端末５０へと送信される情報を制限することによれば、セキュリティを向上させることが可能である。
【０２０５】
また、上記各実施形態においては、ペアリング処理を伴わないＢＬＥ通信が例示されているが、これに限定されない。たとえば、ＢＬＥ通信は、ペアリング処理（詳細には、ユーザによる確認を伴わない方式（「Just Works」方式等）のペアリング処理）を伴うものであってもよい。
【符号の説明】
【０２０６】
１  画像形成システム
１０  ＭＦＰ（画像形成装置）
２５  タッチパネル
５０  携帯端末
７５  タッチパネル
１２０  アプリケーションプログラム
【図１】
0006314951.tif 000002
【図２】
0006314951.tif 000003
【図３】
0006314951.tif 000004
【図４】
0006314951.tif 000005
【図５】
0006314951.tif 000006
【図６】
0006314951.tif 000007
【図７】
0006314951.tif 000008
【図８】
0006314951.tif 000009
【図９】
0006314951.tif 000010
【図１０】
0006314951.tif 000011
【図１１】
0006314951.tif 000012
【図１２】
0006314951.tif 000013
【図１３】
0006314951.tif 000014
【図１４】
0006314951.tif 000015
【図１５】
0006314951.tif 000016
【図１６】
0006314951.tif 000017
【図１７】
0006314951.tif 000018
【図１８】
0006314951.tif 000019
【図１９】
0006314951.tif 000020
【図２０】
0006314951.tif 000021
【図２１】
0006314951.tif 000022
【図２２】
0006314951.tif 000023
【図２３】
0006314951.tif 000024
【図２４】
0006314951.tif 000025